(57)【要約】  本発明の一態様に係る端末装置は、基地局装置と通信する端末装置であって、第１のサブフレームセットのサブフレーム、および、第２のサブフレームセットのサブフレームを示す情報を、上位層の信号を用いて受信し、あるサブフレームに対するパワーヘッドルームの算出に対して、前記あるサブフレームが前記第１のサブフレームセットに属するならば、第１のパラメータセット、および、前記端末装置において計算される下りリンクのパスロスの推定値を用いて、前記パワーヘッドルームを算出し、前記あるサブフレームが前記第２のサブフレームセットに属するならば、第２のパラメータセット、および、前記下りリンクのパスロスの推定値を用いて、前記パワーヘッドルームを算出し、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。
2015005162.tif 000002
【特許請求の範囲】
【請求項１】
基地局装置と通信する端末装置であって、
第１のサブフレームセットのサブフレーム、および、第２のサブフレームセットのサブフレームを示す情報を、上位層の信号を用いて受信し、
あるサブフレームに対するパワーヘッドルームの算出に対して、
前記あるサブフレームが前記第１のサブフレームセットに属するならば、第１のパラメータセット、および、前記端末装置において計算される下りリンクのパスロスの推定値を用いて、前記パワーヘッドルームを算出し、
前記あるサブフレームが前記第２のサブフレームセットに属するならば、第２のパラメータセット、および、前記下りリンクのパスロスの推定値を用いて、前記パワーヘッドルームを算出し、
前記第１のパラメータセットには、前記下りリンクのパスロスの推定値に乗算される第１のパラメータが含まれ、
前記第２のパラメータセットには、前記下りリンクのパスロスの推定値に乗算される第２のパラメータが含まれる、
端末装置。
【請求項２】
前記下りリンクのパスロスの推定値を計算するために用いられるサービングセルは、上位層の信号を用いて設定される、
請求項１に記載の端末装置。
【請求項３】
前記パワーヘッドルームは、あるサービングセルに対する、前記あるサブフレームにおいて、動的にスケジュールされた物理上りリンク共用チャネルでの送信を行う場合に、前記第１のパラメータセットおよび前記下りリンクのパスロスの推定値、または、前記第２のパラメータセットおよび前記下りリンクのパスロスの推定値を用いて算出される、
請求項１に記載の端末装置。
【請求項４】
端末装置と通信する基地局装置であって、
第１のサブフレームセットのサブフレーム、および、第２のサブフレームセットのサブフレームを示す情報を、上位層の信号を用いて送信し、
あるサブフレームに対するパワーヘッドルームを受信し、
前記あるサブフレームが前記第１のサブフレームセットに属するならば、前記パワーヘッドルームは、第１のパラメータセット、および、前記端末装置において計算される下りリンクのパスロスの推定値を用いて算出され、
前記あるサブフレームが前記第２のサブフレームセットに属するならば、前記パワーヘッドルームは、第２のパラメータセット、および、前記下りリンクのパスロスの推定値を用いて算出され、
前記第１のパラメータセットには、前記下りリンクのパスロスの推定値に乗算される第１のパラメータが含まれ、
前記第２のパラメータセットには、前記下りリンクのパスロスの推定値に乗算される第２のパラメータが含まれる、
基地局装置。
【請求項５】
基地局装置と通信する端末装置の通信方法であって、
第１のサブフレームセットのサブフレーム、および、第２のサブフレームセットのサブフレームを示す情報を、上位層の信号を用いて受信し、
あるサブフレームに対するパワーヘッドルームの算出に対して、
前記あるサブフレームが前記第１のサブフレームセットに属するならば、第１のパラメータセット、および、前記端末装置において計算される下りリンクのパスロスの推定値を用いて、前記パワーヘッドルームを算出し、
前記あるサブフレームが前記第２のサブフレームセットに属するならば、第２のパラメータセット、および、前記下りリンクのパスロスの推定値を用いて、前記パワーヘッドルームを算出し、
前記第１のパラメータセットには、前記下りリンクのパスロスの推定値に乗算される第１のパラメータが含まれ、
前記第２のパラメータセットには、前記下りリンクのパスロスの推定値に乗算される第２のパラメータが含まれる、
通信方法。
【請求項６】
端末装置と通信する基地局装置の通信方法であって、
第１のサブフレームセットのサブフレーム、および、第２のサブフレームセットのサブフレームを示す情報を、上位層の信号を用いて送信し、
あるサブフレームに対するパワーヘッドルームを受信し、
前記あるサブフレームが前記第１のサブフレームセットに属するならば、前記パワーヘッドルームは、第１のパラメータセット、および、前記端末装置において計算される下りリンクのパスロスの推定値を用いて算出され、
前記あるサブフレームが前記第２のサブフレームセットに属するならば、前記パワーヘッドルームは、第２のパラメータセット、および、前記下りリンクのパスロスの推定値を用いて算出され、
前記第１のパラメータセットには、前記下りリンクのパスロスの推定値に乗算される第１のパラメータが含まれ、
前記第２のパラメータセットには、前記下りリンクのパスロスの推定値に乗算される第２のパラメータが含まれる、
通信方法。
【請求項７】
基地局装置と通信する端末装置に搭載される集積回路であって、
第１のサブフレームセットのサブフレーム、および、第２のサブフレームセットのサブフレームを示す情報を、上位層の信号を用いて受信する機能と、
あるサブフレームに対するパワーヘッドルームの算出に対して、
前記あるサブフレームが前記第１のサブフレームセットに属するならば、第１のパラメータセット、および、前記端末装置において計算される下りリンクのパスロスの推定値を用いて、前記パワーヘッドルームを算出し、
前記あるサブフレームが前記第２のサブフレームセットに属するならば、第２のパラメータセット、および、前記下りリンクのパスロスの推定値を用いて、前記パワーヘッドルームを算出する機能と、を前記端末装置に発揮させ、
前記第１のパラメータセットには、前記下りリンクのパスロスの推定値に乗算される第１のパラメータが含まれ、
前記第２のパラメータセットには、前記下りリンクのパスロスの推定値に乗算される第２のパラメータが含まれる、
集積回路。
【請求項８】
端末装置と通信する基地局装置に搭載される集積回路であって、
第１のサブフレームセットのサブフレーム、および、第２のサブフレームセットのサブフレームを示す情報を、上位層の信号を用いて送信する機能と、
あるサブフレームに対するパワーヘッドルームを受信する機能と、を前記基地局装置に発揮させ、
前記あるサブフレームが前記第１のサブフレームセットに属するならば、前記パワーヘッドルームは、第１のパラメータセット、および、前記端末装置において計算される下りリンクのパスロスの推定値を用いて算出され、
前記あるサブフレームが前記第２のサブフレームセットに属するならば、前記パワーヘッドルームは、第２のパラメータセット、および、前記下りリンクのパスロスの推定値を用いて算出され、
前記第１のパラメータセットには、前記下りリンクのパスロスの推定値に乗算される第１のパラメータが含まれ、
前記第２のパラメータセットには、前記下りリンクのパスロスの推定値に乗算される第２のパラメータが含まれる、
集積回路。
【発明の詳細な説明】
【技術分野】
【０００１】
本発明は、端末装置、基地局装置、通信方法および集積回路に関する。
本願は、２０１３年７月９日に日本に出願された特願２０１３−１４３４２９号と、２０１３年７月１７日に日本に出願された特願２０１３−１４８１６４号とに基づき優先権を主張し、その内容をここに援用する。
【背景技術】
【０００２】
セルラー移動通信の無線アクセス方式および無線ネットワーク（以下、「Long Term Evolution （LTE）」、または、「Evolved Universal Terrestrial Radio Access: EUTRA」と称する。）が、第三世代パートナーシッププロジェクト（3rd Generation Partnership Project: 3GPP）において検討されている。ＬＴＥでは、基地局装置をｅＮｏｄｅＢ（evolved NodeB）、端末装置をＵＥ（User Equipment）とも称する。ＬＴＥは、基地局装置がカバーするエリアをセル状に複数配置するセルラー通信システムである。単一の基地局装置は、複数のセルを管理しても良い。【０００３】
ここで、ＬＴＥは、時分割複信（Time Division Duplex: TDD）に対応している。ＴＤＤ方式を採用したＬＴＥは、ＴＤ−ＬＴＥまたはＬＴＥ  ＴＤＤとも称される。ＴＤＤは、上りリンク信号と下りリンク信号を時分割多重することによって、単一の周波数帯域において、全二重通信（full duplex communication）を可能にする技術である。また、ＬＴＥは、周波数分割複信（Frequency Division Duplex: FDD）に対応している。【０００４】
また、３ＧＰＰにおいて、干渉軽減技術とトラフィックアダプテーション技術（DL-UL Interference Management and Traffic Adaptation）をＴＤ−ＬＴＥに適用することが検討されている。ここで、トラフィックアダプテーション技術とは、上りリンクのトラフィックと下りリンクのトラフィックに応じて、上りリンクリソースと下りリンクリソースの比率を変更する技術である。トラフィックアダプテーション技術は、ダイナミックＴＤＤとも称される。【０００５】
非特許文献１において、トラフィックアダプテーションを実現する方法として、フレキシブルサブフレーム（flexible subframe）を用いる方法が提案されている。基地局装置は、フレキシブルサブフレームにおいて、下りリンク信号の送信、または、上りリンク信号の受信を行うことができる。端末装置は、上りリンク信号の送信を基地局装置によって指示されない限り、フレキシブルサブフレームを下りリンクサブフレームとみなす。【０００６】
また、非特許文献２において、干渉軽減技術として上りリンクの送信電力制御（Transmission Power Control: TPC）が検討されている。例えば、非特許文献２には、上りリンクの送信電力制御に関連するパラメータに対する検討が記載されている。
【先行技術文献】
【非特許文献】
【０００７】
【非特許文献１】"On standardization impact of TDD UL-DL adaptation", R1-122016, 3GPP TSG-RAN WG1 Meeting #69, 21st - 25th May 2012.
【非特許文献２】"UL power control based interference mitigation for eIMTA ", R1-132351, 3GPP TSG-RAN WG1 Meeting #73, 20th - 24th May 2013.
【発明の概要】
【発明が解決しようとする課題】
【０００８】
しかしながら、上述のような無線通信システムにおいて、端末装置が、送信電力に関わる処理を実行する際の具体的な手順について記載されていなかった。例えば、端末装置が、送信電力制御を実行する際の具体的な手順について記載されていなかった。また、例えば、端末装置が、パワーヘッドルームの報告（Power Head Room: PHR）を実行する際の具体的な手順について記載されていなかった。
【課題を解決するための手段】
【０００９】
（１）本発明の一態様に係る端末装置は、基地局装置と通信する端末装置であって、第１のサブフレームセットのサブフレーム、および、第２のサブフレームセットのサブフレームを示す情報を、上位層の信号を用いて受信し、あるサブフレームに対するパワーヘッドルームの算出に対して、前記あるサブフレームが前記第１のサブフレームセットに属するならば、第１のパラメータセット、および、前記端末装置において計算される下りリンクのパスロスの推定値を用いて、前記パワーヘッドルームを算出し、前記あるサブフレームが前記第２のサブフレームセットに属するならば、第２のパラメータセット、および、前記下りリンクのパスロスの推定値を用いて、前記パワーヘッドルームを算出し、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。【００１０】
（２）上述の端末装置において、前記下りリンクのパスロスの推定値を計算するために用いられるサービングセルは、上位層の信号を用いて設定されてもよい。【００１１】
（３）上述の端末装置において、前記パワーヘッドルームは、あるサービングセルに対する、前記あるサブフレームにおいて、動的にスケジュールされた物理上りリンク共用チャネルでの送信を行う場合に、前記第１のパラメータセットおよび前記下りリンクのパスロスの推定値、または、前記第２のパラメータセットおよび前記下りリンクのパスロスの推定値を用いて算出されてもよい。【００１２】
（４）本発明の他の一態様に係る基地局装置は、端末装置と通信する基地局装置であって、第１のサブフレームセットのサブフレーム、および、第２のサブフレームセットのサブフレームを示す情報を、上位層の信号を用いて送信し、あるサブフレームに対するパワーヘッドルームを受信し、前記あるサブフレームが前記第１のサブフレームセットに属するならば、前記パワーヘッドルームは、第１のパラメータセット、および、前記端末装置において計算される下りリンクのパスロスの推定値を用いて算出され、前記あるサブフレームが前記第２のサブフレームセットに属するならば、前記パワーヘッドルームは、第２のパラメータセット、および、前記下りリンクのパスロスの推定値を用いて算出され、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。【００１３】
（５）本発明の他の一態様に係る通信方法は、基地局装置と通信する端末装置の通信方法であって、第１のサブフレームセットのサブフレーム、および、第２のサブフレームセットのサブフレームを示す情報を、上位層の信号を用いて受信し、あるサブフレームに対するパワーヘッドルームの算出に対して、前記あるサブフレームが前記第１のサブフレームセットに属するならば、第１のパラメータセット、および、前記端末装置において計算される下りリンクのパスロスの推定値を用いて、前記パワーヘッドルームを算出し、前記あるサブフレームが前記第２のサブフレームセットに属するならば、第２のパラメータセット、および、前記下りリンクのパスロスの推定値を用いて、前記パワーヘッドルームを算出し、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。【００１４】
（６）本発明の他の一態様に係る通信方法は、端末装置と通信する基地局装置の通信方法であって、第１のサブフレームセットのサブフレーム、および、第２のサブフレームセットのサブフレームを示す情報を、上位層の信号を用いて送信し、あるサブフレームに対するパワーヘッドルームを受信し、前記あるサブフレームが前記第１のサブフレームセットに属するならば、前記パワーヘッドルームは、第１のパラメータセット、および、前記端末装置において計算される下りリンクのパスロスの推定値を用いて算出され、前記あるサブフレームが前記第２のサブフレームセットに属するならば、前記パワーヘッドルームは、第２のパラメータセット、および、前記下りリンクのパスロスの推定値を用いて算出され、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。【００１５】
（７）本発明の他の一態様に係る集積回路は、基地局装置と通信する端末装置に搭載される集積回路であって、第１のサブフレームセットのサブフレーム、および、第２のサブフレームセットのサブフレームを示す情報を、上位層の信号を用いて受信する機能と、あるサブフレームに対するパワーヘッドルームの算出に対して、前記あるサブフレームが前記第１のサブフレームセットに属するならば、第１のパラメータセット、および、前記端末装置において計算される下りリンクのパスロスの推定値を用いて、前記パワーヘッドルームを算出し、前記あるサブフレームが前記第２のサブフレームセットに属するならば、第２のパラメータセット、および、前記下りリンクのパスロスの推定値を用いて、前記パワーヘッドルームを算出する機能と、を前記端末装置に発揮させ、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。【００１６】
（８）本発明の他の一態様に係る集積回路は、端末装置と通信する基地局装置に搭載される集積回路であって、第１のサブフレームセットのサブフレーム、および、第２のサブフレームセットのサブフレームを示す情報を、上位層の信号を用いて送信する機能と、あるサブフレームに対するパワーヘッドルームを受信する機能と、を前記基地局装置に発揮させ、前記あるサブフレームが前記第１のサブフレームセットに属するならば、前記パワーヘッドルームは、第１のパラメータセット、および、前記端末装置において計算される下りリンクのパスロスの推定値を用いて算出され、前記あるサブフレームが前記第２のサブフレームセットに属するならば、前記パワーヘッドルームは、第２のパラメータセット、および、前記下りリンクのパスロスの推定値を用いて算出され、前記第１のパラメータセットには、前記下りリンクのパスロスの推定値に乗算される第１のパラメータが含まれ、前記第２のパラメータセットには、前記下りリンクのパスロスの推定値に乗算される第２のパラメータが含まれる。
【発明の効果】
【００１７】
本発明の態様によれば、端末装置が、送信電力に関わる処理を効率的に実行することができる。
【図面の簡単な説明】
【００１８】
【図１】無線通信システムの例を示す図である。
【図２】無線フレームの構成の例を示す図である。
【図３】スロットの構成の例を示す図である。
【図４】下りリンクサブフレームにおける物理チャネルおよび物理信号のマッピングの例を示す図である。
【図５】上りリンクサブフレームにおける物理チャネルおよび物理信号のマッピングの例を示す図である。
【図６】スペシャルサブフレームにおける物理チャネルおよび物理信号のマッピングの例を示す図である。
【図７】端末装置１の構成を示す概略ブロック図である。
【図８】基地局装置３の構成を示す概略ブロック図である。
【図９】上りリンク−下りリンク設定の例を示す表である。
【図１０】第１の設定および第２の設定のセッティング方法を示すフロー図である。
【図１１】第１の設定によって指示されるサブフレームおよび第２の設定によって指示されるサブフレームの関係を示す図である。
【図１２】ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応の例を示す図である。
【図１３】ＰＨＩＣＨが配置されるサブフレームｎと前記ＰＨＩＣＨが対応するＰＵＳＣＨが配置されるサブフレームｎ−ｋとの対応の例を示す図である。
【図１４】ＰＵＳＣＨが配置されるサブフレームｎと前記ＰＵＳＣＨが対応するＰＨＩＣＨが配置されるサブフレームｎ＋ｋとの対応の例を示す図である。
【図１５】ＰＤＳＣＨが配置されるサブフレームｎ−ｋと前記ＰＤＳＣＨが対応するＨＡＲＱ−ＡＣＫが送信されるサブフレームｎとの対応の例を示す図である。
【図１６】サブフレームセットの構成の一例を示す図である。
【図１７】パワーヘッドルームの報告に用いられるＭＡＣ  ＣＥの構成の例を示す図である。
【図１８】報告されるパワーヘッドルームと、対応するパワーヘッドルームのレベルの例を示す図である。
【発明を実施するための形態】
【００１９】
本実施形態は、端末装置に対して設定される単一のセルにおいて適用可能である。また、端末装置に対して設定される複数のセルのそれぞれにおいて適用されても良い。また、端末装置に対して設定された複数のセルの一部において適用されても良い。ここで、端末装置が、複数のセルにおいて通信する技術を、セルアグリゲーション、または、キャリアアグリゲーションと称する。ここで、端末装置に対して設定されるセルを、サービングセルとも称する。
【００２０】
ここで、端末装置に対して設定される複数のセルには、１つのプライマリセルと１つまたは複数のセカンダリセルとが含まれる。プライマリセルには、初期コネクション構築（initial connection establishment）プロシージャが行われたセルが含まれても良い。また、プライマリセルには、ハンドオーバプロシージャにおいてプライマリセルと指示されたセルが含まれても良い。また、ＲＲＣコネクション（radio resource control connection）が構築された時点、または、ＲＲＣコネクションが構築された後に、セカンダリセルが設定されても良い。
【００２１】
また、セカンダリセルは、基地局装置から送信される情報に基づいて、活性化（activate）されても良い。プライマリセルは、常に、活性化されていても良い。
【００２２】
本実施形態における無線通信システムでは、少なくとも、ＴＤＤ（Time Division Duplex）方式が適用（サポート）される。また、セルアグリゲーションが適用される場合に、複数のセルのそれぞれにおいてＴＤＤ方式が適用されても良い。また、ＴＤＤ方式が適用されるセルとＦＤＤ（Frequency Division Duplex）方式が適用されるセルがアグリゲーションされる場合に、ＴＤＤ方式が適用されるセルに対して、本実施形態が適用されても良い。
【００２３】
また、本実施形態は、基地局装置によってダイナミックＴＤＤ（ダイナミックＴＤＤに関連する設定（または、送信モード））が設定された端末装置に対して適用されても良い。
【００２４】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２５】
図１は、本実施形態における無線通信システムの例を示す図である。図１に示すように、無線通信システムは、端末装置１Ａ〜１Ｃ、および基地局装置３を具備する。以下、端末装置１Ａ〜１Ｃを、端末装置１とも記載する。
【００２６】
図１において、端末装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２７】
ＰＵＣＣＨは、上りリンク制御情報（Uplink Control Information: UCI）を送信するために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ）を含む。下りリンクデータに対するＡＣＫ／ＮＡＣＫを、ＨＡＲＱ−ＡＣＫ、ＨＡＲＱフィードバックとも称する。
【００２８】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリング要求（Scheduling Request: SR）を含む。
【００２９】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３０】
また、ＰＵＳＣＨは、ＲＲＣメッセージを送信するために用いられる。ＲＲＣメッセージは、無線リソース制御（Radio Resource Control: RRC）層において処理される情報／信号である。また、ＰＵＳＣＨは、ＭＡＣ  ＣＥ（Control Element）を送信するために用いられる。ここで、ＭＡＣ  ＣＥは、媒体アクセス制御（MAC: Medium Access Control）層において処理（送信）される情報／信号である。
【００３１】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３２】
ＰＲＡＣＨは、ランダムアクセスプリアンブルを送信するために用いられる。
【００３３】
また、上りリンクの無線通信では、上りリンク物理信号として上りリンク参照信号（Uplink Reference Signal: UL RS）が用いられる。上りリンク物理信号は、上位層から出力された情報を送信するために使用されないが、物理層によって使用される。ここで、上りリンク参照信号には、ＤＭＲＳ（Demodulation Reference Signal）、ＳＲＳ（Sounding Reference Signal）が含まれる。
【００３４】
ＤＭＲＳは、ＰＵＳＣＨまたはＰＵＣＣＨの送信に関連する。例えば、基地局装置３は、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置３は、上りリンクのチャネル状態を測定するためにＳＲＳを使用する。
【００３５】
図１において、基地局装置３から端末装置１への下りリンクの無線通信では、以下の下りリンク物理チャネルが用いられる。下りリンク物理チャネルは、上位層から出力された情報を送信するために使用される。
・ＰＢＣＨ（Physical Broadcast Channel）
・ＰＣＦＩＣＨ（Physical Control Format Indicator Channel）
・ＰＨＩＣＨ（Physical Hybrid automatic repeat request Indicator Channel）
・ＰＤＣＣＨ（Physical Downlink Control Channel）
・ＥＰＤＣＣＨ（Enhanced Physical Downlink Control Channel）
・ＰＤＳＣＨ（Physical Downlink Shared Channel）
【００３６】
ＰＢＣＨは、端末装置１で共通に用いられるマスターインフォメーションブロック（Master Information Block: MIB, Broadcast Channel: BCH）を報知するために用いられる。ＰＣＦＩＣＨは、ＰＤＣＣＨの送信に用いられる領域（例えば、ＯＦＤＭシンボルの数）を指示する情報を送信するために用いられる。
【００３７】
ＰＨＩＣＨは、基地局装置３が受信した上りリンクデータに対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。
【００３８】
ＰＤＣＣＨおよびＥＰＤＣＣＨは、下りリンク制御情報（Downlink Control Information: DCI）を送信するために用いられる。ここで、下りリンク制御情報の送信に対して、複数のＤＣＩフォーマットが定義される。すなわち、下りリンク制御情報に対するフィールドがＤＣＩフォーマットに定義され、情報ビットへマップされる。
【００３９】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００４０】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００４１】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００４２】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなどの下りリンク制御情報が含まれる。上りリンクに対するＤＣＩフォーマットを、上りリンクグラント（または、上りリンクアサインメント）とも称する。
【００４３】
端末装置１は、下りリンクアサインメントを用いてＰＤＳＣＨのリソースがスケジュールされた場合、スケジュールされたＰＤＳＣＨで下りリンクデータを受信する。また、端末装置１は、上りリンクグラントを用いてＰＵＳＣＨのリソースがスケジュールされた場合、スケジュールされたＰＵＳＣＨで上りリンクデータおよび／または上りリンク制御情報を送信する。
【００４４】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００４５】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００４６】
また、ＰＤＳＣＨは、ＲＲＣメッセージを送信するために用いられる。ここで、基地局装置３から送信されるＲＲＣメッセージは、セル内における複数の端末装置１に対して共通であっても良い。また、基地局装置３から送信されるＲＲＣメッセージは、ある端末装置１に対して専用のメッセージ（dedicated signalingとも称する）であっても良い。すなわち、ユーザー装置スペシフィック（ユーザー装置固有）な情報は、ある端末装置１に対して専用のメッセージを使用して送信される。また、ＰＤＳＣＨは、ＭＡＣ  ＣＥを送信するために用いられる。
【００４７】
ここで、ＲＲＣメッセージおよび／またはＭＡＣ  ＣＥを、上位層の信号（higher layer signaling）とも称する。
【００４８】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するために使用されないが、物理層によって使用される。
【００４９】
同期信号は、端末装置１が、下りリンクの周波数領域および時間領域の同期を取るために用いられる。また、下りリンク参照信号は、端末装置１が、下りリンク物理チャネルの伝搬路補正を行なうために用いられる。例えば、下りリンク参照信号は、端末装置１が、下りリンクのチャネル状態情報を算出するために用いられる。
【００５０】
ここで、下りリンク参照信号には、ＣＲＳ（Cell-specific Reference Signal）、ＰＤＳＣＨに関連するＵＲＳ（UE-specific Reference Signal）、ＥＰＤＣＣＨに関連するＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００５１】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００５２】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００５３】
ＮＺＰ  ＣＳＩ−ＲＳのリソースは、基地局装置３によって設定される。例えば、端末装置１は、ＮＺＰ  ＣＳＩ−ＲＳを用いて信号の測定（チャネルの測定）を行なう。ＺＰ  ＣＳＩ−ＲＳのリソースは、基地局装置３によって設定される。基地局装置３は、ＺＰ  ＣＳＩ−ＲＳをゼロ出力で送信する。例えば、端末装置１は、ＮＺＰ  ＣＳＩ−ＲＳが対応するリソースにおいて干渉の測定を行なう。
【００５４】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００５５】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポートブロックは、ＭＡＣ層が物理層に渡す（deliverする）データの単位である。物理層において、トランスポートブロックはコードワードにマップされ、コードワード毎に符号化処理などが行なわれる。
【００５６】
図２は、本実施形態における無線フレーム（radio frame）の構成の例を示す図である。例えば、無線フレームのそれぞれは、１０ｍｓ長である。また、ハーフフレームのそれぞれは、５ｍｓ長である。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用される。
【００５７】
本実施形態において、以下の３つのタイプのサブフレームが定義される。
・下りリンクサブフレーム（第１のサブフレーム）
・上りリンクサブフレーム（第２のサブフレーム）
・スペシャルサブフレーム（第３のサブフレーム）
【００５８】
下りリンクサブフレームは、下りリンク送信のためにリザーブされるサブフレームである。また、上りリンクサブフレームは、上りリンク送信のためにリザーブされるサブフレームである。また、スペシャルサブフレームは、３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。単一の無線フレームは、少なくとも、下りリンクサブフレーム、上りリンクサブフレーム、およびスペシャルサブフレームから構成される。
【００５９】
ＤｗＰＴＳ、ＧＰ、およびＵｐＰＴＳの合計の長さは１ｍｓである。ＤｗＰＴＳは、下りリンク送信のためにリザーブされるフィールドである。ＵｐＰＴＳは、上りリンク送信のためにリザーブされるフィールドである。ＧＰは、下りリンク送信および上りリンク送信が行われないフィールドである。
【００６０】
また、無線フレームにおいて、５ｍｓと１０ｍｓの下りリンク−上りリンク・スイッチポイント周期（downlink-to-uplink switch-point periodicity）がサポートされる。
【００６１】
図３は、本実施形態におけるスロットの構成の例を示す図である。スロットのそれぞれにおいて送信される物理信号または物理チャネルは、リソースグリッドによって表現される。下りリンクにおいて、リソースグリッドは、複数のサブキャリアと複数のＯＦＤＭシンボルによって定義される。上りリンクにおいて、リソースグリッドは、複数のサブキャリアと複数のＳＣ−ＦＤＭＡシンボルによって定義される。
【００６２】
ここで、１つのスロットを構成するサブキャリアの数は、セルの帯域幅に依存する。また、１つのスロットを構成するＯＦＤＭシンボルまたはＳＣ−ＦＤＭＡシンボルの数は７である。また、リソースグリッド内のエレメントのそれぞれは、リソースエレメントとも称される。
【００６３】
リソースブロックは、ある物理チャネル（例えば、ＰＤＳＣＨ、ＰＵＳＣＨなど）のリソースエレメントへのマッピングを表現するために用いられる。例えば、１つの物理リソースブロックは、時間領域において７個の連続するＯＦＤＭシンボルまたはＳＣ−ＦＤＭＡシンボルと、周波数領域において１２個の連続するサブキャリアとから定義される。
【００６４】
図４は、本実施形態における下りリンクサブフレームにおける物理チャネルおよび物理信号のマッピングの例を示す図である。基地局装置３は、下りリンクサブフレームにおいて、下りリンク物理チャネル、および、下りリンク物理信号を送信することができる。
【００６５】
例えば、ＰＢＣＨは、無線フレームにおけるサブフレーム０のみで送信される。また、下りリンク参照信号は、周波数領域および時間領域において分散するリソースエレメントにマップされる。ここで、説明の簡略化のため、図４において下りリンク参照信号は図示しない。
【００６６】
また、ＰＤＣＣＨ領域において、複数のＰＤＣＣＨが周波数および時間多重されても良い。また、ＥＰＤＣＣＨ領域において、複数のＥＰＤＣＣＨが周波数、時間、および空間多重されても良い。また、ＰＤＳＣＨ領域において、複数のＰＤＳＣＨが周波数および空間多重されても良い。また、ＰＤＣＣＨと、ＰＤＳＣＨまたはＥＰＤＣＣＨは時間多重されても良い。また、ＰＤＳＣＨとＥＰＤＣＣＨは周波数多重されても良い。
【００６７】
図５は、本実施形態における上りリンクサブフレームにおける物理チャネルおよび物理信号のマッピングの例を示す図である。端末装置１は、上りリンクサブフレームにおいて、上りリンク物理チャネル、および、上りリンク物理信号を送信することができる。
【００６８】
例えば、ＰＵＣＣＨ領域において、複数のＰＵＣＣＨが周波数、時間、および符号多重されても良い。また、ＰＵＳＣＨ領域において、複数のＰＵＳＣＨが周波数および空間多重されても良い。また、ＰＵＣＣＨとＰＵＳＣＨは、周波数多重されても良い。
【００６９】
また、ＳＲＳは、上りリンクサブフレームにおける最後のＳＣ−ＦＤＭＡシンボルを用いて送信されても良い。
【００７０】
図６は、本実施形態におけるスペシャルサブフレームにおける物理チャネルおよび物理信号のマッピングの例を示す図である。図６において、ＤｗＰＴＳは、スペシャルサブフレームにおける１番目から１０番目のＳＣ−ＦＤＭＡシンボルから構成される。また、ＧＰは、スペシャルサブフレームにおける１１番目と１２番目のＳＣ−ＦＤＭＡシンボルから構成される。また、ＵｐＰＴＳは、スペシャルサブフレームにおける１３番目と１４番目のＳＣ−ＦＤＭＡシンボルから構成される。
【００７１】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信しても良い。また、基地局装置３は、スペシャルサブフレームのＤｗＰＴＳにおいて、ＰＢＣＨを送信しなくても良い。
【００７２】
また、端末装置１は、スペシャルサブフレームのＵｐＰＴＳにおいて、ＳＲＳを送信しても良い。また、端末装置１は、スペシャルサブフレームのＵｐＰＴＳにおいて、ＰＵＣＣＨ、ＰＵＳＣＨ、およびＤＭＲＳを送信しなくても良い。
【００７３】
ここで、端末装置１は、ＰＤＣＣＨ候補（PDCCH candidates）および／またはＥＰＤＣＣＨ候補（EPDCCH candidates）のセットをモニタする。以下、説明の簡略化のために、ＥＰＤＣＣＨは、ＰＤＣＣＨに含まれる。ここで、ＰＤＣＣＨ候補とは、基地局装置３によって、ＰＤＣＣＨがマップおよび送信される可能性のある候補を示している。また、モニタとは、モニタされる全てのＤＣＩフォーマットに応じて、ＰＤＣＣＨ候補のセット内のＰＤＣＣＨのそれぞれに対して、端末装置１がデコードを試みるということを意味する。
【００７４】
また、端末装置１が、モニタするＰＤＣＣＨ候補のセットは、サーチスペースとも称される。すなわち、ＰＤＣＣＨ領域に、コモンサーチスペース（CSS: Common Search Space）および／またはユーザー装置スペシフィックサーチスペース（USS: UE-specific Search Space）が構成（定義、設定）される。端末装置１は、ＣＳＳおよび／またはＵＳＳにおいて、ＰＤＣＣＨをモニタし、自装置宛てのＰＤＣＣＨを検出する。
【００７５】
また、下りリンク制御情報の送信（ＰＤＣＣＨでの送信）には、基地局装置３が端末装置１に割り当てたＲＮＴＩが利用される。具体的には、ＤＣＩフォーマット（下りリンク制御情報でも良い）にＣＲＣ（Cyclic Redundancy check: 巡回冗長検査）パリティビットが付加され、付加された後に、ＣＲＣパリティビットがＲＮＴＩによってスクランブルされる。
【００７６】
端末装置１は、ＲＮＴＩによってスクランブルされたＣＲＣパリティビットが付加されたＤＣＩフォーマットに対してデコードを試み、ＣＲＣが成功したＤＣＩフォーマットを、自装置宛のＤＣＩフォーマットとして検出する（ブラインドデコーディングとも呼称される）。
【００７７】
ここで、ＲＮＴＩには、Ｃ−ＲＮＴＩ(Cell-Radio Network Temporary Identifier)が含まれる。Ｃ−ＲＮＴＩは、ＲＲＣ接続およびスケジューリングの識別に対して使用されるユニークな（一意的な）識別子である。Ｃ−ＲＮＴＩは、動的にスケジュールされるユニキャスト送信のために利用される。
【００７８】
図７は、本実施形態における端末装置１の構成を示す概略ブロック図である。図７に示すように、端末装置１は、上位層処理部１０１、制御部１０３、受信部１０５、送信部１０７、送信電力処理部１０９と送受信アンテナ１１１を含んで構成される。また、上位層処理部１０１は、無線リソース制御部１０１１、サブフレーム設定部１０１３、スケジューリング情報解釈部１０１５、および、送信電力制御部１０１７を含んで構成される。また、受信部１０５は、復号化部１０５１、復調部１０５３、多重分離部１０５５、無線受信部１０５７を含んで構成される。また、送信部１０７は、符号化部１０７１、変調部１０７３、多重部１０７５、無線送信部１０７７と上りリンク参照信号生成部１０７９を含んで構成される。
【００７９】
上位層処理部１０１は、ユーザーの操作等によって生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００８０】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００８１】
サブフレーム設定部１０１３は、第１の設定、第２の設定、および、第３の設定の管理をする。サブフレーム設定部１０１３は、第１の設定、第２の設定、および、第３の設定をセットする。また、サブフレーム設定部１０１３は、少なくとも２つのサブフレームセットをセットする。
【００８２】
上位層処理部１０１が備えるスケジューリング情報解釈部１０１５は、受信部１０５を介して受信したＤＣＩフォーマット（スケジューリング情報）を解釈し、前記ＤＣＩフォーマットを解釈した結果に基づき、受信部１０５、および送信部１０７の制御を行なうために制御情報を生成し、制御部１０３に出力する。
【００８３】
スケジューリング情報解釈部１０１５は、さらに、第１の設定、第２の設定、および／または、第３の設定に基づいて、送信処理および受信処理を行うタイミングを決定する。
【００８４】
送信電力制御部１０１７は、送信電力に関連する処理に対する制御を実行する。送信電力制御部１０１７は、送信電力制御を実行するために用いられる設定を、送信電力処理部１０９へ出力する。また、送信電力制御部１０１７は、送信部１０７に、送信電力制御に基づいて上りリンク信号を送信するように指示をする。送信電力制御部１０１７は、パワーヘッドルームの報告を実行するために用いられる設定を、送信電力処理部１０９へ出力する。また、送信電力制御部１０１７は、送信部１０７に、パワーヘッドルームを報告するように指示をする。
【００８５】
制御部１０３は、上位層処理部１０１からの制御情報に基づいて、受信部１０５、送信部１０７および送信電力処理部１０９の制御を行なう制御信号を生成する。制御部１０３は、生成した制御信号を受信部１０５、送信部１０７、送信電力処理部１０９に出力して受信部１０５、および送信部１０７の制御を行なう。
【００８６】
受信部１０５は、制御部１０３から入力された制御信号に従って、送受信アンテナ１１１を介して基地局装置３から受信した受信信号を、分離、復調、復号し、復号した情報を上位層処理部１０１に出力する。
【００８７】
無線受信部１０５７は、送受信アンテナ１１１を介して受信した下りリンクの信号を、直交復調によりベースバンド信号に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【００８８】
また、無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行い、周波数領域の信号を抽出する。
【００８９】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定から得られた伝搬路の推定値に基づいて、ＰＨＩＣＨ、ＰＤＣＣＨ、ＥＰＤＣＣＨ、およびＰＤＳＣＨの伝搬路の補償を行なう。
【００９０】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。
【００９１】
また、復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００９２】
また、復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクアサインメントで通知された変調方式の復調を行ない、復号化部１０５１へ出力する。復号化部１０５１は、下りリンク制御情報で通知された符号化率に関する情報に基づいて復号を行い、復号した下りリンクデータ（トランスポートブロック）を上位層処理部１０１へ出力する。
【００９３】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１１１を介して基地局装置３に送信する。
【００９４】
符号化部１０７１は、上位層処理部１０１から入力された上りリンク制御情報を畳み込み符号化、ブロック符号化等の符号化を行う。また、符号化部１０７１は、ＰＵＳＣＨのスケジューリングに用いられる情報に基づきターボ符号化を行なう。
【００９５】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【００９６】
上りリンク参照信号生成部１０７９は、基地局装置３を識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。
【００９７】
多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００９８】
無線送信部１０７７は、多重された信号を逆高速フーリエ変換（Inverse Fast Fourier Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１１１に出力して送信する。
【００９９】
送信電力処理部１０９は、送信電力に関連する処理を行なう。送信電力処理部１０９は、上位層処理部１０１から入力された設定などに基づいて、送信電力制御を実行する。また、送信電力処理部１０９は、上位層処理部１０１から入力された設定などに基づいて、パワーヘッドルームの値を算出する。
【０１００】
図８は、本実施形態における基地局装置３の構成を示す概略ブロック図である。図８に示すように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３、スケジューリング部３０１５、および、送信電力制御部３０１７を含んで構成される。また、受信部３０５は、復号化部３０５１、復調部３０５３、多重分離部３０５５、無線受信部３０５７を含んで構成される。また、送信部３０７は、符号化部３０７１、変調部３０７３、多重部３０７５、無線送信部３０７７と下りリンク参照信号生成部３０７９を含んで構成される。
【０１０１】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【０１０２】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥなどを生成し、又は上位ノードから取得し、送信部３０７に出力する。また、無線リソース制御部３０１１は、端末装置１各々の各種設定情報の管理をする。
【０１０３】
サブフレーム設定部３０１３は、第１の設定、第２の設定、および、第３の設定の管理を、端末装置１のそれぞれに対して行なう。サブフレーム設定部３０１３は、端末装置１のそれぞれに対して、第１の設定、第２の設定、および、第３の設定をセットする。
【０１０４】
また、サブフレーム設定部３０１３は、第１の設定を示す第１の情報、第２の設定を示す第２の情報、および、第３の設定を示す第３の情報を生成する。サブフレーム設定部３０１３は、送信部３０７を介して、第１の情報、第２の情報、および、第３の情報を、端末装置１に送信する。
【０１０５】
基地局装置３は、端末装置１に対する、第１の設定、第２の設定、および／または、第３の設定を決定してもよい。また、基地局装置３は、端末装置１に対する、第１の設定、第２の設定、および／または、第３の設定を、上位ノードから指示されても良い。
【０１０６】
例えば、サブフレーム設定部３０１３は、上りリンクのトラフィック量および下りリンクのトラフィック量に基づいて、第１の設定、第２の設定、および／または、第３の設定を決定しても良い。
【０１０７】
サブフレーム設定部３０１３は、少なくとも２つのサブフレームセットの管理を行なう。サブフレーム設定部３０１３は、端末装置１のそれぞれに対して、少なくとも２つのサブフレームセットをセットしても良い。サブフレーム設定部３０１３は、セルのそれぞれに対して、少なくとも２つのサブフレームセットをセットしても良い。サブフレーム設定部３０１３は、ＣＳＩプロセスのそれぞれに対して、少なくとも２つのサブフレームセットをセットしても良い。
【０１０８】
サブフレーム設定部３０１３は、少なくとも２つのサブフレームセットを示す情報を、送信部３０７を介して、端末装置１に送信する。
【０１０９】
上位層処理部３０１が備えるスケジューリング部３０１５は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【０１１０】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、第１の設定、第２の設定、および／または、第３の設定に基づいて、送信処理および受信処理を行うタイミングを決定しても良い。
【０１１１】
上位層処理部３０１が備える送信電力制御部３０１７は、端末装置１によって実行される送信電力に関連する処理を制御する。送信電力制御部３０１７は、端末装置１が送信電力制御を実行するために用いる情報を、送信部３０７を介して、端末装置１へ送信する。送信電力制御部３０１７は、端末装置１がパワーヘッドルームを報告するために用いる情報を、送信部３０７を介して、端末装置１へ送信する。
【０１１２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【０１１３】
受信部３０５は、制御部３０３から入力された制御信号に従って、送受信アンテナ３０９を介して端末装置１から受信した受信信号を分離、復調、復号し、復号した情報を上位層処理部３０１に出力する。無線受信部３０５７は、送受信アンテナ３０９を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【０１１４】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行い、周波数領域の信号を抽出し多重分離部３０５５に出力する。
【０１１５】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各端末装置１に通知した上りリンクグラントに含まれる無線リソースの割り当て情報に基づいて行なわれる。
【０１１６】
また、多重分離部３０５５は、ＰＵＣＣＨとＰＵＳＣＨの伝搬路の補償を行なう。また、多重分離部３０５５は、上りリンク参照信号を分離する。
【０１１７】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が端末装置１各々に上りリンクグラントで予め通知した変調方式を用いて受信信号の復調を行なう。
【０１１８】
復号化部３０５１は、復調されたＰＵＣＣＨとＰＵＳＣＨの符号化ビットを、予め定められた符号化方式の、予め定められた、又は自装置が端末装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。
【０１１９】
チャネル測定部３０９は、多重分離部３０５５から入力された上りリンク参照信号から伝搬路の推定値、チャネルの品質などを測定し、多重分離部３０５５および上位層処理部３０１に出力する。
【０１２０】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して端末装置１に信号を送信する。
【０１２１】
符号化部３０７１は、上位層処理部３０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１２２】
下りリンク参照信号生成部３０７９は、基地局装置３を識別するための物理セル識別子（ＰＣＩ）などを基に予め定められた規則で求まる、端末装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１２３】
無線送信部３０７７は、多重された変調シンボルなどを逆高速フーリエ変換（Inverse Fast Fourier Transform: IFFT）して、ＯＦＤＭ方式の変調を行い、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、ローパスフィルタにより余分な周波数成分を除去し、搬送周波数にアップコンバートし、電力増幅し、送受信アンテナ３０９に出力して送信する。
【０１２４】
第１の設定、第２の設定、および、第３の設定について詳細に記載する。
【０１２５】
第１の設定は、上りリンク参照上りリンク−下りリンク設定（uplink reference uplink - downlink configuration）とも称される。また、第１の設定は、サービングセル上りリンク−下りリンク設定（serving cell uplink - downlink configuration）とも称される。また、第１の設定は、上りリンク参照設定（uplink reference configuration）とも称される。また、第１の設定は、第１のパラメータと称されても良い。
【０１２６】
また、第２の設定は、下りリンク参照上りリンク−下りリンク設定（downlink reference uplink - downlink configuration）とも称される。また、第２の設定は、下りリンク参照設定（downlink reference configuration）とも称される。また、第２の設定は、第２のパラメータと称されても良い。
【０１２７】
また、第３の設定は、送信方向上りリンク−下りリンク設定（transmission direction uplink - downlink configuration）とも称される。また、第３の設定は、第３のパラメータと称されても良い。
【０１２８】
例えば、第１の設定、第２の設定、および、第３の設定は、上りリンク−下りリンク設定（uplink - downlink configuration）に基づいて定義されても良い。ここで、上りリンク−下りリンク設定は、無線フレーム内におけるサブフレームのパターンに関する設定である。すなわち、上りリンク−下りリンク設定は、無線フレーム内におけるサブフレームのそれぞれが、下りリンクサブフレーム、上りリンクサブフレーム、および、スペシャルサブフレームの何れであるかを示す。
【０１２９】
すなわち、第１の設定、第２の設定、および、第３の設定は、無線フレーム内における下りリンクサブフレーム、上りリンクサブフレーム、および、スペシャルサブフレームのパターンによって定義されても良い。
【０１３０】
ここで、下りリンクサブフレーム、上りリンクサブフレーム、および、スペシャルサブフレームのパターンとは、サブフレーム＃０から＃９のそれぞれが、下りリンクサブフレーム、上りリンクサブフレーム、および、スペシャルサブフレームのいずれであるかを示すものである。好ましくは、ＤとＵとＳ（それぞれ下りリンクサブフレーム、上りリンクサブフレーム、および、スペシャルサブフレームを示す）の長さ１０となる任意の組み合わせによって表現される。また、より好ましくは、先頭（つまりサブフレーム＃０）がＤで、２番目（つまりサブフレーム＃１）がＳである。
【０１３１】
図９は、本実施形態における上りリンク−下りリンク設定の例を示す表である。図９において、Ｄは下りリンクサブフレームを示している。また、Ｕは上りリンクサブフレームを示している。また、Ｓはスペシャルサブフレームを示している。
【０１３２】
ここで、第１の設定として、上りリンク−下りリンク設定ｉがセットされることを、第１の設定ｉがセットされると称する。また、第２の設定として、上りリンク−下りリンク設定ｉがセットされることを、第２の設定ｉがセットされると称する。また、第３の設定として、上りリンク−下りリンク設定ｉがセットされることを、第３の設定ｉがセットされると称する。
【０１３３】
基地局装置３は、第１の設定、第２の設定、および、第３の設定をセットする。また、基地局装置３は、第１の設定を示す第１の情報を、端末装置１へ送信しても良い。また、基地局装置３は、第２の設定を示す第２の情報を、端末装置１へ送信しても良い。また、基地局装置３は、第３の設定を示す第３の情報を、端末装置１へ送信しても良い。
【０１３４】
例えば、基地局装置３は、第１の情報を、マスターインフォメーションブロック、システムインフォメーションブロックタイプ１メッセージ、システムインフォメーションメッセージ、ＲＲＣメッセージ、ＭＡＣ  ＣＥ、および、物理層における制御情報（例えば、ＤＣＩフォーマット）の少なくとも１つに含めて送信しても良い。
【０１３５】
また、基地局装置３は、第２の情報を、マスターインフォメーションブロック、システムインフォメーションブロックタイプ１メッセージ、システムインフォメーションメッセージ、ＲＲＣメッセージ、ＭＡＣ  ＣＥ、および、物理層における制御情報（例えば、ＤＣＩフォーマット）の少なくとも１つに含めて送信しても良い。
【０１３６】
また、基地局装置３は、第３の情報を、マスターインフォメーションブロック、システムインフォメーションブロックタイプ１メッセージ、システムインフォメーションメッセージ、ＲＲＣメッセージ、ＭＡＣ  ＣＥ、および、物理層における制御情報（例えば、ＤＣＩフォーマット）の少なくとも１つに含めて送信しても良い。
【０１３７】
例えば、基地局装置３は、１つのプライマリセルおよび１つのセカンダリセルから構成される２つのセルが設定された端末装置１に対して、プライマリセルに対する第１の情報、プライマリセルに対する第２の情報、プライマリセルに対する第３の情報、セカンダリセルに対する第１の情報、セカンダリセルに対する第２の情報、および、セカンダリセルに対する第３の情報を送信しても良い。
【０１３８】
図１０は、本実施形態における第１の設定および第２の設定のセッティング方法を示すフロー図である。端末装置１は、あるセルに対して、第１の情報に基づいて第１の設定をセットする（Ｓ１０００）。また、端末装置１は、該あるセルに対する第２の情報を受信しているかどうかを判断する（Ｓ１００２）。また、端末装置１は、該あるセルに対する第２の情報を受信している場合は、該あるセルに対して、該あるセルに対する第２の情報に基づいて第２の設定をセットする（Ｓ１００６）。
【０１３９】
端末装置１は、該あるセルに対する第２の情報を受信していない場合は（else/otherwise）、該あるセルに対して、該あるセルに対する第１の情報に基づいて第２の設定をセットする（Ｓ１００４）。ここで、第１の情報に基づいてセットされる第２の設定は、サービングセル上りリンク−下りリンク設定と称されても良い。
【０１４０】
端末装置１は、第２の情報を受信し、第２の情報に基づいて上りリンクの信号の送信が可能なサブフレームを判断する。また、端末装置１は、第３の情報をモニタする。また、端末装置１は、第３の情報を受信した場合に、第３の情報に基づいて上りリンクの信号の送信が可能なサブフレームを判断する。
【０１４１】
第１の設定について説明する。第１の設定は、あるセルにおいて、上りリンクの送信が可能または不可能なサブフレームを特定する（以下、“特定する”は、少なくとも、“選択する”、“決定する”、“指示する”の意味を含む）ために少なくとも用いられる。
【０１４２】
端末装置１は、第１の設定によって下りリンクサブフレームとして指示されたサブフレームにおいて上りリンクの送信を行なわない。また、端末装置１は、第１の設定によってスペシャルサブフレームとして指示されたサブフレームのＤｗＰＴＳおよびＧＰにおいて上りリンクの送信を行なわない。
【０１４３】
第２の設定について説明する。第２の設定は、あるセルにおいて、下りリンクの送信が可能または不可能なサブフレームを特定するために少なくとも用いられる。
【０１４４】
端末装置１は、第２の設定によって上りリンクサブフレームとして指示されたサブフレームにおいて下りリンクの送信を行なわない。また、端末装置１は、第２の設定によってスペシャルサブフレームとして指示されたサブフレームのＵｐＰＴＳおよびＧＰにおいて下りリンクの送信を行なわない。
【０１４５】
ここで、第１の情報に基づいて第２の設定をセットしている端末装置１は、第１の設定または第２の設定によって指示された下りリンクサブフレームまたはスペシャルサブフレームのＤｗＰＴＳにおいて下りリンクの信号を用いた測定（例えば、チャネル状態情報に関する測定）を行なっても良い。
【０１４６】
また、第２の情報に基づいて第２の設定をセットしている端末装置１が、第１の設定によって指示された下りリンクサブフレームまたはスペシャルサブフレームのＤｗＰＴＳにおいて下りリンクの信号を用いた測定を行なっても良い。
【０１４７】
図１１は、本実施形態における第１の設定によって指示されるサブフレームおよび第２の設定によって指示されるサブフレームの関係を示す図である。図１１において、Ｄは下りリンクサブフレームを示し、Ｕは上りリンクサブフレームを示し、Ｓはスペシャルサブフレームを示す。
【０１４８】
基地局装置３は、第１の設定に基づいて限定される設定セット（セットの設定）の中から第２の設定を特定しても良い。すなわち、第２の設定は、第１の設定に基づいて限定される設定セットにおける要素であっても良い。例えば、第１の設定に基づいて限定される設定セットは、図１１に示す条件（ａ）から（ｃ）を満たすＵＬ−ＤＬ設定を含んでいても良い。
【０１４９】
ここで、第１の設定によって上りリンクサブフレームとして指示され、第２の設定によって上りリンクサブフレームとして指示されたサブフレームを、フィックスド上りリンクサブフレーム（fixed uplink subframe）とも称する。
【０１５０】
また、第１の設定によって下りリンクサブフレームとして指示され、第２の設定によって下りリンクサブフレームとして指示されたサブフレームを、フィックスド下りリンクサブフレーム（fixed downlink subframe）とも称する。
【０１５１】
また、第１の設定によってスペシャルサブフレームとして指示され、第２の設定によってスペシャルサブフレームとして指示されたサブフレームを、フィックスドスペシャルサブフレーム（fixed special subframe）とも称する。
【０１５２】
また、第１の設定によって上りリンクサブフレームとして指示され、第２の設定によって下りリンクサブフレームとして指示されたサブフレームを、第１のフレキシブルサブフレームとも称する。第１のフレキシブルサブフレームは、上りリンクおよび下りリンクの送信のためにリザーブされるサブフレームである。
【０１５３】
また、第１の設定によってスペシャルサブフレームとして指示され、第２の設定によって下りリンクサブフレームとして指示されたサブフレームを、第２のフレキシブルサブフレームとも称する。第２のフレキシブルサブフレームは、下りリンクの送信のためにリザーブされるサブフレームである。また、第２のフレキシブルサブフレームは、ＤｗＰＴＳにおける下りリンクの送信、および、ＵｐＰＴＳにおける上りリンクの送信のためにリザーブされるサブフレームである。
【０１５４】
以下、第１のフレキシブルサブフレームおよび第２のフレキシブルサブフレームを総称して、フレキシブルサブフレームとも称する。
【０１５５】
第３の設定について説明する。基地局装置３および端末装置１は、サブフレームにおける送信の方向（上り／下り）に関する第３の設定をセットする。すなわち、第３の設定は、サブフレームにおける送信の方向を決定するために用いられても良い。例えば、端末装置１は、スケジューリング情報（ＤＣＩフォーマットおよび／またはＨＡＲＱ−ＡＣＫ）および第３の設定に基づいて、フレキシブルサブフレームにおける送信を制御しても良い。
【０１５６】
すなわち、第３の設定を示す第３の情報は、上りリンク送信が可能なサブフレームを指示するために用いられても良い。また、第３の情報は、下りリンク送信が可能なサブフレームを指示するために用いられても良い。また、第３の情報は、ＵｐＰＴＳにおける上りリンク送信、および、ＤｗＰＴＳにおける下りリンク送信が可能なサブフレームを指示するために用いられても良い。
【０１５７】
また、第３の設定は、第１の設定によって上りリンクサブフレームとして指示され、第２の設定によって下りリンクサブフレームとして指示されたサブフレームにおける、送信の方向を特定するために用いられても良い。また、第３の設定は、第１の設定によってスペシャルサブフレームとして指示され、第２の設定によって下りリンクサブフレームとして指示されたサブフレームにおける、送信の方向を特定するために用いられても良い。
【０１５８】
すなわち、第３の設定は、第１の設定と第２の設定とを用いて送信方向が異なるサブフレームとして指示されているサブフレームにおける、送信の方向を特定するために用いられる。
【０１５９】
ここで、基地局装置３は、第３の設定によって下りリンクサブフレームとして指示したサブフレームにおいて、下りリンクの送信のスケジューリングを行なっても良い。
【０１６０】
また、端末装置１は、第３の設定によって下りリンクサブフレームとして指示されたサブフレームにおいて、下りリンク信号の受信処理を行っても良い。また、端末装置１は、第３の設定によって下りリンクサブフレームとして指示されたサブフレームにおいて、ＰＤＣＣＨ／ＥＰＤＣＣＨのモニタを行なっても良い。
【０１６１】
また、端末装置１は、ＰＤＣＣＨ／ＥＰＤＣＣＨで送信された下りリンクアサインメントの検出に基づいて、第３の設定によって下りリンクサブフレームとして指示されたサブフレームにおいてＰＤＳＣＨの受信処理を行っても良い。
【０１６２】
また、端末装置１は、第３の設定によって下りリンクサブフレームとして指示されたサブフレームにおける上りリンク信号（ＰＵＳＣＨ／ＳＲＳ）の送信が、スケジュールまたは設定された場合に、該サブフレームにおいて上りリンク信号（ＰＵＳＣＨ／ＳＲＳ）の送信処理を行わない。
【０１６３】
また、基地局装置３は、第３の設定によって上りリンクサブフレームとして指示したサブフレームにおいて、上りリンクの送信のスケジューリングを行なっても良い。
【０１６４】
また、基地局装置３は、第３の設定によって上りリンクサブフレームとして指示したサブフレームにおいて、下りリンクの送信のスケジューリングを行なっても良い。ここで、第３の設定によって上りリンクサブフレームとして指示されたサブフレームにおいて、基地局装置３による下りリンクの送信のスケジューリングを禁止しても良い。
【０１６５】
端末装置１は、第３の設定によって上りリンクサブフレームとして指示されたサブフレームにおいて、上りリンク信号の送信処理を行っても良い。また、端末装置１は、第３の設定によって上りリンクサブフレームとして指示されたサブフレームにおける上りリンク信号（ＰＵＳＣＨ／ＤＭＲＳ／ＳＲＳ）の送信がスケジュールまたは設定された場合に、該サブフレームにおいて上りリンク信号（ＰＵＳＣＨ／ＤＭＲＳ／ＳＲＳ）の送信処理を行っても良い。
【０１６６】
また、端末装置１は、第３の設定によって上りリンクサブフレームとして指示され、上りリンクの送信がスケジュールされていないサブフレームにおいて、下りリンク信号の受信処理を行っても良い。ここで、第３の設定によって上りリンクサブフレームとして指示されたサブフレームにおいて、端末装置１による下りリンク信号の受信処理は禁止されても良い。
【０１６７】
また、基地局装置３は、第３の設定によってスペシャルサブフレームとして指示したサブフレームのＤｗＰＴＳにおいて、下りリンクの送信のスケジューリングを行なっても良い。
【０１６８】
端末装置１は、第３の設定によってスペシャルサブフレームとして指示されたサブフレームのＤｗＰＴＳにおいて、下りリンク信号の受信処理を行っても良い。また、端末装置１は、第３の設定によってスペシャルサブフレームとして指示されたサブフレームのＤｗＰＴＳにおいて、ＰＤＣＣＨ／ＥＰＤＣＣＨのモニタを行なっても良い。
【０１６９】
また、端末装置１は、ＰＤＣＣＨ／ＥＰＤＣＣＨで送信される下りリンクアサインメントの検出に基づいて、第３の設定によってスペシャルサブフレームとして指示されたサブフレームのＤｗＰＴＳにおいてＰＤＳＣＨの受信処理を行っても良い。
【０１７０】
また、端末装置１は、第３の設定によってスペシャルサブフレームとして指示されたサブフレームにおけるＰＵＳＣＨの送信が、スケジュールまたは設定された場合に、該サブフレームにおいてＰＵＳＣＨの送信処理を行わない。
【０１７１】
また、端末装置１は、第３の設定によってスペシャルサブフレームとして指示されたサブフレームのＵｐＰＴＳにおけるＳＲＳの送信が、スケジュールまたは設定された場合に、該サブフレームのＵｐＰＴＳにおいてＳＲＳの送信処理を行っても良い。
【０１７２】
上りリンクのＨＡＲＱタイミングについて説明する。例えば、第１の設定は、ＰＤＣＣＨ／ＥＰＤＣＣＨ／ＰＨＩＣＨが配置されるサブフレームｎと、該ＰＤＣＣＨ／ＥＰＤＣＣＨ／ＰＨＩＣＨが対応するＰＵＳＣＨが配置されるサブフレームｎ＋ｋとの対応を特定するために用いられても良い。
【０１７３】
図１２は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応の例を示す図である。以下、図１２の説明において、第１の設定を、単に、ＵＬ−ＤＬ設定とも称する。
【０１７４】
端末装置１は、図１２に示される表に基づいてｋの値を特定する。ここで、サブフレームｎおよびサブフレームｎ＋ｋは、端末装置１に対して（端末装置１側で）意図されるサブフレームである。
【０１７５】
端末装置１は、サブフレームｎにおいて、ＵＬ−ＤＬ設定の１から６がセットされているセルに対応し、端末装置１を対象とする上りリンクグラントを伴うＰＤＣＣＨ／ＥＰＤＣＣＨを検出した場合に、図１２の表に基づいて特定されるサブフレームｎ＋ｋにおいて、該上りリンクグラントに対応するＰＵＳＣＨでの送信を行なう。
【０１７６】
ここで、該上りリンクグラントに対応するＰＵＳＣＨでの送信は、該上りリンクグラントを用いてスケジュールされたＰＵＳＣＨでの送信の意味を含む。また、送信を行うとは、ＰＵＳＣＨでの送信を調整(adjust)することの意味を含む。
【０１７７】
また、端末装置１は、サブフレームｎにおいて、ＵＬ−ＤＬ設定の１から６がセットされているセルに対応し、端末装置１を対象とするＮＡＣＫを伴うＰＨＩＣＨを検出した場合に、図１３の表に基づいて特定されるサブフレームｎ＋ｋにおいて、該ＰＨＩＣＨに対応するＰＵＳＣＨでの送信を行なう。
【０１７８】
ここで、ＵＬ−ＤＬ設定０が設定されたセルに対応し、端末装置１を対象とする上りリンクグラントには、２ビットの上りリンクインデックス（UL index）が含まれる。ＵＬ−ＤＬ設定の１から６が設定されたセルに対応し、端末装置１を対象とする上りリンクグラントには、上りリンクインデックス（UL index）は含まれない。
【０１７９】
また、端末装置１は、サブフレームｎにおいて、ＵＬ−ＤＬ設定０がセットされているセルに対応する上りリンクグラントに含まれる上りリンクインデックスのＭＳＢ（Most Significant Bit）が１にセットされている場合には、図１２の表に基づいて特定されるサブフレームｎ＋ｋにおいて、該上りリンクグラントに対応するＰＵＳＣＨでの送信を行う。
【０１８０】
また、端末装置１は、サブフレームｎ＝０または５における第１のリソースセットにおいて、ＵＬ−ＤＬ設定０がセットされているセルに対応するＮＡＣＫを伴うＰＨＩＣＨを受信した場合には、図１２の表に基づいて特定されるサブフレームｎ＋ｋにおいて、該ＰＨＩＣＨに対応するＰＵＳＣＨでの送信を行う。
【０１８１】
また、端末装置１は、サブフレームｎにおいて、ＵＬ−ＤＬ設定０がセットされているセルに対応する上りリンクグラントに含まれる上りリンクインデックスのＬＳＢ（Least Significant Bit）が１にセットされている場合には、サブフレームｎ＋７において、該上りリンクグラントに対応するＰＵＳＣＨでの送信を行う。
【０１８２】
また、端末装置１は、サブフレームｎ＝０または５における第２のリソースセットにおいて、ＵＬ−ＤＬ設定０がセットされているセルに対応するＮＡＣＫをともなうＰＨＩＣＨを受信した場合には、サブフレームｎ＋７において、該上りリンクグラントに対応するＰＵＳＣＨでの送信を行う。
【０１８３】
また、端末装置１は、サブフレームｎ＝１または６において、ＵＬ−ＤＬ設定０がセットされているセルに対応するＮＡＣＫを伴うＰＨＩＣＨを受信した場合には、サブフレームｎ＋７において、該上りリンクグラントに対応するＰＵＳＣＨでの送信を行う。
【０１８４】
また、例えば、端末装置１は、[ＳＦＮ＝ｍ、サブフレーム１]において、ＵＬ−ＤＬ設定０がセットされているセルに対応するＰＤＣＣＨ／ＥＰＤＣＣＨ／ＰＨＩＣＨを検出した場合に、６つ後のサブフレーム[ＳＦＮ＝ｍ、サブフレーム７]において、ＰＵＳＣＨでの送信を行う。
【０１８５】
また、第１の設定は、ＰＨＩＣＨが配置されるサブフレームｎと、前記ＰＨＩＣＨが対応するＰＵＳＣＨが配置されるサブフレームｎ−ｋとの対応を特定するために用いられても良い。
【０１８６】
図１３は、本実施形態におけるＰＨＩＣＨが配置されるサブフレームｎと前記ＰＨＩＣＨが対応するＰＵＳＣＨが配置されるサブフレームｎ−ｋとの対応の例を示す図である。以下、図１３の説明において、第１の設定を、単に、ＵＬ−ＤＬ設定とも称する。
【０１８７】
端末装置１は、図１３に示される表に基づいてｋの値を特定する。ここで、サブフレームｎおよびサブフレームｎ−ｋは、端末装置１に対して（端末装置１側で）意図されるサブフレームである。
【０１８８】
例えば、ＵＬ−ＤＬ設定の１から６がセットされているセルに対して、サブフレームｎにおいて、該セルに対応するＰＨＩＣＨで受信されるＨＡＲＱ−ＡＣＫ（ＨＡＲＱインディケータでも良い）は、図１３の表に基づいて特定されるサブフレームｎ−ｋにおけるＰＵＳＣＨでの送信に関連する。
【０１８９】
また、ＵＬ−ＤＬ設定０がセットされているセルに対して、サブフレームｎ＝０または５における第１のリソースセット、または、サブフレームｎ＝１または６において、該セルに対応するＰＨＩＣＨで受信されるＨＡＲＱ−ＡＣＫは、図１３の表に基づいて特定されるサブフレームｎ−ｋにおけるＰＵＳＣＨでの送信に関連する。
【０１９０】
また、ＵＬ−ＤＬ設定０がセットされているセルに対して、サブフレームｎ＝０または５における第２のリソースセットにおいて、該セルに対応するＰＨＩＣＨで受信されるＨＡＲＱ−ＡＣＫは、サブフレームｎ−６におけるＰＵＳＣＨでの送信に関連する。
【０１９１】
また、例えば、ＵＬ−ＤＬ設定１がセットされているセルに対して、[ＳＦＮ=ｍ、サブフレーム１]においてＰＨＩＣＨを介して受信されたＨＡＲＱ−ＡＣＫは、４つ前のサブフレーム[ＳＦＮ=ｍ−１、サブフレーム７]におけるＰＵＳＣＨでの送信に関連する。
【０１９２】
また、第１の設定は、ＰＵＳＣＨが配置されるサブフレームｎと、前記ＰＵＳＣＨが対応するＰＨＩＣＨが配置されるサブフレームｎ＋ｋとの対応を特定するために用いられても良い。
【０１９３】
図１４は、本実施形態におけるＰＵＳＣＨが配置されるサブフレームｎと前記ＰＵＳＣＨが対応するＰＨＩＣＨが配置されるサブフレームｎ＋ｋとの対応の例を示す図である。以下、図１４の説明において、第１の設定を、単に、ＵＬ−ＤＬ設定とも称する。
【０１９４】
端末装置１は、図１４に示される表に基づいてｋの値を特定する。ここで、サブフレームｎおよびサブフレームｎ＋ｋは、端末装置１に対して（端末装置１側で）意図されるサブフレームである。
【０１９５】
端末装置１は、サブフレームｎにおいてＰＵＳＣＨでの送信がスケジュールされた場合には、図１４の表から特定されるサブフレームｎ＋ｋにおいてＰＨＩＣＨリソースを決定する。
【０１９６】
例えば、ＵＬ−ＤＬ設定０がセットされているセルに対して、[ＳＦＮ=ｍ、サブフレームｎ＝２]においてＰＵＳＣＨ送信がスケジュールされた場合には、[ＳＦＮ=ｍ、サブフレームｎ＝６]においてＰＨＩＣＨリソースが決定される。
【０１９７】
下りリンクのＨＡＲＱタイミングについて説明する。例えば、第２の設定は、ＰＤＳＣＨが配置されるサブフレームｎと、該ＰＤＳＣＨに対応するＨＡＲＱ−ＡＣＫが送信されるサブフレームｎ＋ｋとの対応を特定するために用いられても良い。
【０１９８】
図１５は、本実施形態におけるＰＤＳＣＨが配置されるサブフレームｎ−ｋと前記ＰＤＳＣＨが対応するＨＡＲＱ−ＡＣＫが送信されるサブフレームｎとの対応の例を示す図である。以下、図１５の説明において、第２の設定を、単に、ＵＬ−ＤＬ設定とも称する。
【０１９９】
端末装置１は、図１５に示される表に基づいてｋの値を特定する。ここで、サブフレームｎ−ｋおよびサブフレームｎは、端末装置１に対して（端末装置１側で）意図されるサブフレームである。
【０２００】
端末装置１は、セルのサブフレームｎ−ｋ（ｋは図１５の表によって特定される）において、端末装置１を対象としており、対応するＨＡＲＱ−ＡＣＫの送信を行なうべきＰＤＳＣＨでの送信を検出した場合には、サブフレームｎにおいてＨＡＲＱ−ＡＣＫを送信する。
【０２０１】
例えば、端末装置１は、Ｃ−ＲＮＴＩでスクランブルされたＣＲＣを伴うＤＣＩフォーマットによってスケジュールされたＰＤＳＣＨでの送信に対して、ＨＡＲＱ−ＡＣＫの応答を行っても良い。
【０２０２】
例えば、端末装置１は、サブフレームｎ＝２において、ＵＬ−ＤＬ設定１がセットされているセルにおけるサブフレームｎ−６および／またはｎ−７において受信したＰＤＳＣＨに対して、ＨＡＲＱ−ＡＣＫの応答を行なう。
【０２０３】
ここで、ダイナミックＴＤＤが設定されないセルに対して、第２の設定は定義されなくても良い。この場合、基地局装置３および端末装置１は、上述した第２の設定に基づいて行なわれる処理を、第１の設定（サービングセルＵＬ−ＤＬ設定）に基づいて行なっても良い。
【０２０４】
ここで、隣接するセルとサービングセルとのＵＬ−ＤＬ設定が異なる場合には、サブフレーム毎に干渉状態が異なる。そこで、本実施形態においては、少なくとも２つの（複数の）サブフレームセットが定義される。ここで、例えば、複数のサブフレームセットは、上りリンクの送信電力制御に関連する複数のサブフレームセットである。また、複数のサブフレームセットは、パワーヘッドルームの報告に関連する複数のサブフレームセットである。例えば、サブフレームセットは、サブフレームの干渉状態に基づいて構成されても良い。
【０２０５】
図１６は、本実施形態におけるサブフレームセットの構成の一例を示す図である。図１６において、Ｄは下りリンクサブフレームを示し、Ｕは上りリンクサブフレームを示し、Ｓはスペシャルサブフレームを示している。また、図１６において、ａは第１のサブフレームセットに属するサブフレームを示し、ｂは第２のサブフレームセットに属するサブフレームを示している。また、Ｆは第１のフレキシブルサブフレームを示している。
【０２０６】
図１６において、サービングセルのサブフレーム｛２、３、４、７、８、９｝において上りリンクの送信が行なわれる（または、行われる可能性がある）。また、隣接セルのサブフレーム｛０、１、４、５、６、９｝において下りリンクの送信が行なわれ、隣接セルのサブフレーム｛２、３、７、８｝において上りリンクの送信が行なわれる。
【０２０７】
すなわち、サービングセルにおいて、サブフレーム｛２、３、７、８｝とサブフレーム｛４、８｝との間で干渉状態が異なる（または、干渉状態が異なる可能性がある）。そこで、図１６に示すように、第１のサブフレームセットはサブフレーム｛２、３、７、８｝から構成される。また、第２のサブフレームセットはサブフレーム｛４、８｝から構成される。
【０２０８】
例えば、基地局装置３は、サブフレームセットを示す情報を、上位層の信号を使用して端末装置１へ送信しても良い。また、端末装置１は、上位層の信号を使用して送信されたサブフレームセットを示す情報に基づいて、サブフレームセットを設定しても良い。
【０２０９】
また、サブフレームセットは、第１のフレキシブルサブフレームに基づいて、暗示的（implicit）に構成されても良い。例えば、第１のサブフレームセットは第１のフレキシブルサブフレームから構成され、第２のサブフレームセットは第１の設定に基づいて上りリンクサブフレームとして指示されたサブフレームから構成されても良い。
【０２１０】
ここで、無線通信システムにおける上りリンクにおいて、端末装置１の消費電力を抑圧するため、また、他セルへの与干渉を低減するために、送信電力制御（Transmission Power Control: TPC）が行われる。
【０２１１】
例えば、端末装置１は、ＰＵＣＣＨでの送信を同時には行わずにＰＵＳＣＨでの送信を行う場合に、あるセルｃに対する、あるサブフレームｉにおけるＰＵＳＣＨでの送信に対する送信電力値を、数式（１）に基づいてセットしても良い。以下、数式の説明において、ｓｅｔＸは、第Ｘのサブフレームセットを示している。例えば、Ｘは自然数である。数式（１）におけるＰｒｅａｌ，ｃ，ｓｅｔＸ（ｉ）は、数式（２）に基づいて定義される。
【数１】
2015005162.tif 000003
【数２】
2015005162.tif 000004
【０２１２】
ここで、Ｐｒｅａｌ，ｃ，ｓｅｔＸ（ｉ）は、ＰＵＳＣＨに対する実際の送信（a real transmission）に基づいて算出される（推定される）電力値である。また、ＰＵＳＣＨに対する実際の送信に基づいて電力値が算出される（推定される）とは、ＰＵＳＣＨでの実際の送信に基づいて電力値が算出される（推定される）ことの意味を含む。
【０２１３】
また、端末装置１は、ＰＵＣＣＨでの送信を同時に行いＰＵＳＣＨでの送信を行う場合に、あるセルｃに対する、あるサブフレームｉにおけるＰＵＳＣＨでの送信に対する送信電力値を、数式（３）に基づいてセットしても良い。
【数３】
2015005162.tif 000005
【０２１４】
ここで、ＰＰＵＳＣＨ，ｃ（ｉ）は、第ｉサブフレームにおけるＰＵＳＣＨでの送信に対する送信電力値を示す。また、ｍｉｎ｛Ｘ、Ｙ｝、ＸとＹのうちの最小値を選択するための関数である。また、ＰＣＭＡＸ，ｃは最大送信電力値（最大出力電力値とも称される）を示し、端末装置１によって設定される。
【０２１５】
また、ｐＣＭＡＸ，ｃはＰＣＭＡＸ，ｃの線形値（the liner value）を示している。また、ｐＰＵＣＣＨはＰＰＵＣＣＨ（ｉ）の線形値を示している。ＰＰＵＣＣＨ（ｉ）については、後述する。
【０２１６】
また、ＭＰＵＳＣＨ，ｃは、基地局装置３によって割り当てられたＰＵＳＣＨのリソース（例えば、帯域幅）を示し、リソースブロックの数によって表現される。また、Ｐ０_ＰＵＳＣＨ，ｃ，ｓｅｔＸは、ＰＵＳＣＨでの送信に対する基本となる送信電力を示すパラメータである。例えば、Ｐ０_ＰＵＳＣＨ，ｃ，ｓｅｔＸは、上位層から指示されるセルスペシフィックパラメータＰ０_ＮＯＭＩＮＡＬ_ＰＵＳＣＨ，ｃ，ｓｅｔＸと、上位層から指示されるユーザー装置スペシフィックパラメータＰ０_ＵＥ_ＰＵＳＣＨ，ｃ，ｓｅｔＸとの和によって構成される。
【０２１７】
基地局装置３は、Ｐ０_ＰＵＳＣＨ，ｃ，ｓｅｔＸを指示するための情報を、サブフレームセット毎に、上位層の信号を用いて端末装置１へ送信しても良い。すなわち、第１のサブフレームセットおよび第２のサブフレームセットのそれぞれにおけるＰＵＳＣＨでの送信に対して、独立してＰ０_ＰＵＳＣＨ，ｃ，ｓｅｔＸが設定されても良い。基地局装置３は、セルスペシフィックパラメータＰ０_ＮＯＭＩＮＡＬ_ＰＵＳＣＨ，ｃ，ｓｅｔＸ、および／または、ユーザー装置スペシフィックパラメータＰ０_ＵＥ_ＰＵＳＣＨ，ｃ，ｓｅｔＸを、サブフレームセット毎に設定しても良い。
【０２１８】
また、セルスペシフィックパラメータＰ０_ＮＯＭＩＮＡＬ_ＰＵＳＣＨ，ｃ，ｓｅｔＸは、複数のサブフレームセットに対して共通のパラメータとして設定されても良い。すなわち、基地局装置３は、セルスペシフィックパラメータＰ０_ＮＯＭＩＮＡＬ_ＰＵＳＣＨ，ｃ，ｓｅｔＸを複数のサブフレームセットに対して共通のパラメータとして設定し、ユーザー装置スペシフィックパラメータＰ０_ＵＥ_ＰＵＳＣＨ，ｃ，ｓｅｔＸをサブフレームセット毎に設定しても良い。また、ユーザー装置スペシフィックパラメータＰ０_ＵＥ_ＰＵＳＣＨ，ｃ，ｓｅｔＸは、複数のサブフレームセットに対して共通のパラメータとして設定されても良い。
【０２１９】
また、ＰＬｃは、あるセルに対する下りリンクのパスロスの推定を示し、端末装置１において計算される。ここで、ＰＬｃは、複数のサブフレームセットに対して共通であっても良い。
【０２２０】
また、αｃ，ｓｅｔＸは、パスロスに乗算される係数を示し、上位層から指示される。例えば、基地局装置３は、αｃ，ｓｅｔＸを指示するための情報を、サブフレームセット毎に、上位層の信号を用いて端末装置１へ送信しても良い。すなわち、第１のサブフレームセットおよび第２のサブフレームセットのそれぞれにおけるＰＵＳＣＨでの送信に対して、独立してαｃ，ｓｅｔＸが設定されても良い。
【０２２１】
ここで、Ｐ０_ＰＵＳＣＨ，ｃ，ｓｅｔＸおよびαｃ，ｓｅｔＸは、オープンループパラメータとも称される。すなわち、少なくとも２つのサブフレームセットが設定され、サブフレームセットのそれぞれに対してオープンループパラメータ（Ｐ０_ＰＵＳＣＨ，ｃ，ｓｅｔＸおよびαｃ，ｓｅｔＸ）が設定される。
【０２２２】
例えば、基地局装置３は、端末装置１に対して複数のサブフレームセットを設定した場合にのみ、オープンループパラメータをサブフレームセット毎に設定しても良い。また、基地局装置３は、端末装置１に対して第２の情報を設定した場合にのみ、オープンループパラメータをサブフレームセット毎に設定しても良い。
【０２２３】
また、ΔＴＦ，ｃ（ｉ）は、変調方式等によるオフセット値を示す。また、現在のＰＵＳＣＨでの送信に対する電力制御調整の状態（PUSCH power control adjustment state）は、ｆｃ，ｓｅｔＸ（ｉ）によって与えられる。ここで、ｆｃ，ｓｅｔＸ（ｉ）に対する累積が有効（enabled）であるか無効（disabled）であるかが、パラメータ（Accumulation-enabled）に基づいて上位層によって与えられる。以下、ｆｃ，ｓｅｔＸ（ｉ）に対する累積が有効であるか無効であるかを指示するために用いられるパラメータを、第４のパラメータとも記載する。
【０２２４】
基地局装置３は、第４のパラメータを、上位層の信号を用いて送信しても良い。例えば、端末装置１は、上位層から与えられた第４のパラメータに基づいて累積が有効である場合には、数式（４）に基づいて、ｆｃ，ｓｅｔＸ（ｉ）の値をセットする。
【数４】
2015005162.tif 000006
【０２２５】
ここで、δＰＵＳＣＨ，ｃ，ｓｅｔＸは、補正値（a correction value）であり、ＴＰＣコマンドと呼称される。すなわち、上位層から与えられた第４のパラメータに基づいて累積が有効である場合、δＰＵＳＣＨ，ｃ，ｓｅｔＸ（ｉ−ＫＰＵＳＣＨ）は、ｆｃ，ｓｅｔＸ（ｉ−１）に累積される値を示している。ここで、δＰＵＳＣＨ，ｃ，ｓｅｔＸ（ｉ−ＫＰＵＳＣＨ）は、あるサブフレーム（ｉ−ＫＰＵＳＣＨ）で受信した、あるセルに対する上りリンクグラントに含まれるＰＵＳＣＨに対するＴＰＣコマンドのフィールドにセットされた値に基づいて指示される。
【０２２６】
例えば、上りリンクグラントに含まれるＰＵＳＣＨに対するＴＰＣコマンドのフィールド（２ビットの情報フィールド）がセットされる値は、累積される補正値｛−１、０、１、３｝にマップされる。また、ＫＰＵＳＣＨの値は、ＵＬ−ＤＬ設定（上りリンク参照ＵＬ−ＤＬ設定）、および、対応するＴＰＣコマンドが含まれる上りリンクグラントを受信したサブフレームに基づいて、仕様書などによって予め定義される。例えば、ＫＰＵＳＣＨの値は、４、または５、または６、または７である。
【０２２７】
ここで、ｆｃ，ｓｅｔＸ（ｉ）の累積は、サブフレームセット毎に行われても良い。すなわち、第１のサブフレームセットおよび第２のサブフレームのそれぞれにおけるＰＵＳＣＨでの送信に対して、独立してｆｃ，ｓｅｔＸ（ｉ）が累積されても良い。
【０２２８】
すなわち、端末装置１は、第１のサブフレームセットに対応するＴＰＣコマンドを受信した場合には、第１のサブフレームセットに対してｆｃ，ｓｅｔＸ（Ｘ＝１）（ｉ）の累積を行っても良い。また、端末装置１は、第２のサブフレームセットに対応するＴＰＣコマンドを受信した合には、第２のサブフレームセットに対してｆｃ，ｓｅｔＸ（Ｘ＝２）（ｉ）の累積を行っても良い。
【０２２９】
すなわち、端末装置１は、第Ｘのサブフレームセットに属するサブフレームにおけるＰＵＳＣＨでの送信に対する送信電力値を、第Ｘのサブフレームセットに対するパラメータのセット（Ｐ０_ＰＵＳＣＨ，ｃ，ｓｅｔＸ、および／または、αｃ，ｓｅｔＸ、および／または、ｆｃ，ｓｅｔＸ（ｉ））に基づいてセットしても良い。
【０２３０】
ここで、例えば、端末装置１は、複数のサブフレームセットが設定され、且つ、第２のサブフレームセットに対するパラメータの値が設定された場合（第２のサブフレームセットに対するパラメータの値を示す情報を受信した場合）には、該設定された値を基づいて、第２のサブフレームセットに属するサブフレームにおけるＰＵＳＣＨでの送信に対する送信電力値をセットしても良い。
【０２３１】
また、端末装置１は、複数のサブフレームセットが設定され、且つ、第１のサブフレームセットに対するパラメータの値が設定され、且つ、第２のサブフレームセットに対するパラメータの値が設定されていない場合（第２のサブフレームセットに対するパラメータの値を示す情報を受信していない場合）には、第１サブフレームセットに対するパラメータの値に基づいて、第２のサブフレームセットに属するサブフレームにおけるＰＵＳＣＨでの送信に対する送信電力値をセットしても良い。
【０２３２】
すなわち、この場合、第１サブフレームセットに対するパラメータの値が、第２のサブフレームセットに対するパラメータにセットされる。ここで、第１のサブフレームセットに対するパラメータのデフォルト値は、仕様書などによって予め定義されていても良い。
【０２３３】
また、端末装置１は、上位層から与えられた第４のパラメータに基づいて累積が無効である場合（すなわち、累積が有効ではない場合）には、数式（５）に基づいて、ｆｃ，ｓｅｔＸ（ｉ）の値をセットする。
【数５】
2015005162.tif 000007
【０２３４】
すなわち、上位層から与えられた第４のパラメータに基づいて累積が無効である場合、δＰＵＳＣＨ，ｃ，ｓｅｔＸ（ｉ−ＫＰＵＳＣＨ）は、ｆｃ（ｉ）に対する絶対値（absolute value）を示している。この場合、δＰＵＳＣＨ，ｃ，ｓｅｔＸ（ｉ−ＫＰＵＳＣＨ）は、サブフレームセットに関わらずセットされても良い。すなわち、δＰＵＳＣＨ，ｃ，ｓｅｔＸ（ｉ−ＫＰＵＳＣＨ）は、サブフレームｉに対してのみ有効であっても良い。
【０２３５】
例えば、上りリンクグラント（ＤＣＩフォーマット０またはＤＣＩフォーマット４）に含まれるＰＵＳＣＨに対するＴＰＣコマンドのフィールド（２ビットの情報フィールド）がセットされる値は、絶対値｛−４、−１、１、４｝にマップされる。
【０２３６】
また、基地局装置３は、サブフレームセットのそれぞれに対するｆｃ，ｓｅｔＸ（ｉ）の累積を有効とするか無効とするかを、第４のパラメータを用いて端末装置１に対して設定しても良い。すなわち、端末装置１は、第４のパラメータに基づいて、サブフレームセットのそれぞれに対してｆｃ，ｓｅｔＸ（ｉ）の値を累積するのか、ｆｃ，ｓｅｔＸ（ｉ）の値を絶対値とするのか、を決定しても良い。
【０２３７】
例えば、端末装置１は、複数のサブフレームセットが設定され、且つ、第４のパラメータに基づいて累積が有効である場合には、サブフレームセットのそれぞれに対してｆｃ，ｓｅｔＸ（ｉ）の値を累積しても良い。また、端末装置１は、第２の設定が設定され、且つ、第４のパラメータに基づいて累積が有効である場合には、サブフレームセットのそれぞれに対してｆｃ，ｓｅｔＸ（ｉ）の値を累積しても良い。
【０２３８】
また、端末装置１は、複数のサブフレームセットが設定されておらず、且つ、第４のパラメータに基づいて累積が有効である場合には、サブフレームセットに関わらずｆｃ，ｓｅｔＸ（ｉ）の値を累積しても良い。また、端末装置１は、第２の設定が設定されておらず(すなわち、第１の設定のみが設定され)、且つ、第４のパラメータに基づいて累積が有効である場合には、サブフレームセットに関わらずｆｃ，ｓｅｔＸ（ｉ）の値を累積しても良い。
【０２３９】
また、端末装置１は、複数のサブフレームセットが設定され、且つ、第４のパラメータに基づいて累積が無効である場合には、ｆｃ，ｓｅｔＸ（ｉ）の値として絶対値をセットしても良い。また、端末装置１は、第２の設定が設定されておらず、且つ、第４のパラメータに基づいて累積が無効である場合には、ｆｃ，ｓｅｔＸ（ｉ）の値として絶対値をセットしても良い。
【０２４０】
また、端末装置１は、複数のサブフレームセットが設定されておらず、且つ、第４のパラメータに基づいて累積が無効である場合には、ｆｃ，ｓｅｔＸ（ｉ）の値として絶対値をセットしても良い。また、端末装置１は、第２の設定が設定されておらず、且つ、第４のパラメータに基づいて累積が無効である場合には、ｆｃ，ｓｅｔＸ（ｉ）の値として絶対値をセットしても良い。
【０２４１】
すなわち、端末装置１は、複数のサブフレームセットが設定されているかどうか、および／または、第２の設定が設定されているかどうか、に関わらず、第４のパラメータに基づいて累積が無効である場合には、ｆｃ，ｓｅｔＸ（ｉ）の値として絶対値をセットしても良い。
【０２４２】
また、端末装置１は、ＰＵＣＣＨでの送信を行う場合に、あるセルｃに対する、あるサブフレームｉにおけるＰＵＣＣＨでの送信に対する送信電力値を、数式（６）に基づいてセットする。数式（６）におけるＰｒｅａｌ_ＰＵＣＣＨ，ｃ（ｉ）は、数式（７）に基づいて定義される。
【数６】
2015005162.tif 000008
【数７】
2015005162.tif 000009
【０２４３】
ここで、Ｐｒｅａｌ_ＰＵＣＣＨ，ｃ（ｉ）は、ＰＵＣＣＨに対する実際の送信（a real transmission）に基づいて算出される（推定される）電力値である。また、ＰＵＣＣＨに対する実際の送信に基づいて電力値が算出される（推定される）とは、ＰＵＣＣＨでの実際の送信に基づいて電力値が算出される（推定される）ことの意味を含む。
【０２４４】
また、ＰＰＵＣＣＨ，ｃ（ｉ）は、第ｉサブフレームにおけるＰＵＣＣＨでの送信に対する送信電力値を示す。すなわち、ＰＰＵＣＣＨ，ｃ（ｉ）は、サブフレームセットに関わらずにセットされても良い。また、Ｐ０_ＰＵＣＣＨ，ｃは、ＰＵＣＣＨでの送信に対する基本となる送信電力を示すパラメータであり、上位層から指示される。
【０２４５】
また、ｈ（ｎＣＱＩ、ｎＨＡＲＱ）は、ＰＵＣＣＨで送信されるビット数およびＰＵＣＣＨのフォーマットに基づいて算出される値である。ここで、ｎＣＱＩはＰＵＣＣＨで送信されるチャンネル状態情報を示し、ｎＨＡＲＱはＰＵＣＣＨで送信されるＨＡＲＱの情報（例えば、ＡＣＫ／ＮＡＣＫ）を示す。
【０２４６】
また、ΔＦ_ＰＵＣＣＨ（Ｆ）は、ＰＵＣＣＨのフォーマット毎に上位層から指示されるオフセット値である。例えば、ＰＵＣＣＨフォーマット１ａに対するΔＦ_ＰＵＣＣＨ（Ｆ）は常に０である。また、端末装置１は、数式（８）に基づいて、ｇ（ｉ）の値をセットしても良い。
【数８】
2015005162.tif 000010
【０２４７】
ここで、δＰＵＣＣＨは、補正値（a correction value）であり、ＴＰＣコマンドと呼称される。すなわち、δＰＵＣＣＨ（ｉ−ＫＰＵＣＣＨ）は、ｇ（ｉ−１）に累積される値を示している。また、δＰＵＣＣＨ（ｉ−ＫＰＵＣＣＨ）は、あるサブフレーム（ｉ−ＫＰＵＣＣＨ）で受信した、あるセルに対する下りリンクアサインメントに含まれるＰＵＣＣＨに対するＴＰＣコマンドのフィールドにセットされた値に基づいて指示される。
【０２４８】
例えば、下りリンクアサインメントに含まれるＰＵＣＣＨに対するＴＰＣコマンドのフィールド（２ビットの情報フィールド）がセットされる値は、累積される補正値｛−１、０、１、３｝にマップされる。また、ＫＰＵＣＣＨの値は、ＵＬ−ＤＬ設定（下りリンク参照ＵＬ−ＤＬ設定）、および、対応するＴＰＣコマンドが含まれる下りリンクアサインメントを受信したサブフレームに基づいて、仕様書などによって予め定義される。
【０２４９】
ここで、ＰＵＣＣＨでの送信は、プライマリセルのみで行われても良い。また、ＰＵＣＣＨでの送信は、フィックスド上りリンクサブフレームのみにおいて行われても良い。また、ＰＵＣＣＨでの送信は、第１のサブフレームサブセットに属するサブフレームのみ、または、第２のサブフレームサブセットに属するサブフレームのみにおいて行われても良い。
【０２５０】
パワーヘッドルームの報告（Power Headroom Reporting: PHR）について詳細に記載する。
【０２５１】
端末装置１は、最大送信電力と、上りリンクの送信に対して推定される所定の電力との差を示すパワーヘッドルーム（電力余力値）を基地局装置３へ送信する。すなわち、パワーヘッドルームの報告は、最大送信電力（ノミナル最大送信電力（the nominal maximum transmission power）とも称される）と、活性化されたセル毎のＵＬ−ＳＣＨ（ＰＵＳＣＨでも良い）での送信に対して推定される電力との差を、基地局装置３へ供給するために用いられる。
【０２５２】
すなわち、パワーヘッドルームの報告は、端末装置１が、最大送信電力に対してどの程度余裕を持ってＰＵＳＣＨでの送信を行っているのかを、基地局装置３へ供給するために用いられる。ここで、パワーヘッドルームの報告は、最大送信電力と、ＵＬ−ＳＣＨ（ＰＵＳＣＨでも良い）およびＰＵＣＣＨでの送信に対して推定される電力との差を、基地局装置３へ供給するために用いられても良い。また、パワーヘッドルームの報告は、最大送信電力値を基地局装置３へ供給するために用いられても良い。また、パワーヘッドルームは、物理層から上位層へ供給され、基地局装置３へ報告される。
【０２５３】
例えば、基地局装置３は、パワーヘッドルームの値に基づいて、ＰＵＳＣＨに対するリソース割り当て（例えば、帯域幅）や、ＰＵＳＣＨに対する変調方式などを決定する。
【０２５４】
ここで、パワーヘッドルームの報告には、２つのタイプ（タイプ１、タイプ２）が定義される。ある１つのパワーヘッドルームは、あるセルｃに対する、あるサブフレームｉに対して有効である。また、タイプ１のパワーヘッドルームは、タイプ１−１、タイプ１−２、および、タイプ１−３のパワーヘッドルームを含む。また、タイプ２のパワーヘッドルームは、タイプ２−１、タイプ２−２、タイプ２−３、および、タイプ２−４のパワーヘッドルームを含む。以下、タイプ１のパワーヘッドルームおよびタイプ２のパワーヘッドルームを、単にパワーヘッドルームとも記載する。
【０２５５】
タイプ１−１のパワーヘッドルームは、端末装置１が、あるセルｃに対する、あるサブフレームｉにおいて、ＰＵＣＣＨでの送信を同時には行わずにＰＵＳＣＨでの送信を行う場合に対して定義される。ここで、基地局装置３は、あるサブフレームｉにおけるＰＵＣＣＨおよびＰＵＳＣＨでの同時送信を、パラメータ（simultaneousPUCCH-PUSCH）を用いて設定しても良い。基地局装置３は、該パラメータ（simultaneousPUCCH-PUSCH）を上位層の信号に含めて端末装置１へ送信しても良い。
【０２５６】
例えば、端末装置１は、あるセルｃに対する、あるサブフレームｉにおいて、ＰＵＣＣＨでの送信を同時には行わずにＰＵＳＣＨでの送信を行う場合に、該あるサブフレームｉにおけるＰＵＳＣＨでの送信に対するタイプ１−１のパワーヘッドルームを、数式（９）に基づいて算出する。
【数９】
2015005162.tif 000011
【０２５７】
すなわち、タイプ１−１のパワーヘッドルームは、ＰＵＳＣＨに対する実際の送信に基づいて算出される。ここで、ＰＵＳＣＨに対する実際の送信に基づいてパワーヘッドルームが算出されるとは、ＰＵＳＣＨでの実際の送信に基づいてパワーヘッドルームが算出されることの意味を含む。
【０２５８】
また、タイプ１−２のパワーヘッドルームの報告は、端末装置１が、あるセルｃに対する、あるサブフレームｉにおいて、ＰＵＣＣＨでの送信を同時に行いＰＵＳＣＨでの送信を行う場合に対して定義される。
【０２５９】
例えば、端末装置１は、あるセルｃに対する、あるサブフレームｉにおいて、ＰＵＣＣＨでの送信を同時に行いＰＵＳＣＨでの送信を行う場合に、該あるサブフレームｉにおけるＰＵＳＣＨでの送信に対するタイプ１−２のパワーヘッドルームを、数式（１０）に基づいて算出する。
【数１０】
2015005162.tif 000012
【０２６０】
すなわち、タイプ１−２のパワーヘッドルームは、ＰＵＳＣＨに対する実際の送信に基づいて算出される。ここで、ＰＣＭＡＸ_Ａは、あるサブフレームｉにおいてＰＵＳＣＨのみでの送信が行われることを想定して算出される最大送信電力値である。この場合、物理層は、ＰＣＭＡＸの代わりにＰＣＭＡＸ_Ａを上位層へ供給する。
【０２６１】
また、タイプ１−３のパワーヘッドルームの報告は、端末装置１が、あるセルｃに対する、あるサブフレームｉにおいてＰＵＳＣＨでの送信を行なわない場合に対して定義される。
【０２６２】
例えば、端末装置１は、あるセルｃに対する、あるサブフレームｉにおいて、ＰＵＳＣＨでの送信を行わない場合に、該あるサブフレームｉにおけるＰＵＳＣＨでの送信に対するタイプ１−３のパワーヘッドルームを、数式（１１）に基づいて算出する。ここで、数式（１１）におけるＰｒｅｆｅｒｅｎｃｅ，ｃ，ｓｅｔＸ（ｉ）は、数式（１２）に基づいて定義される。
【数１１】
2015005162.tif 000013
【数１２】
2015005162.tif 000014
【０２６３】
ここで、ＰＣＭＡＸ_Ｂは、ＭＰＲ（Maximum Power Reduction）＝０ｄＢ、Ａ−ＭＰＲ（Additional Maximum Power Reduction）＝０ｄＢ、Ｐ−ＭＰＲ（Power management Maximum Power Reduction）＝０ｄＢ、ΔＴＣ＝０ｄＢを想定して算出される。ここで、ＭＰＲ、Ａ−ＭＰＲ、Ｐ−ＭＰＲ、および、ΔＴＣは、ＰＣＭＡＸ，ｃの値をセットするために用いられるパラメータである。
【０２６４】
すなわち、タイプ１−３のパワーヘッドルームは、ＰＵＳＣＨに対するリファレンスフォーマット（a reference format）に基づいて算出される。ここで、ＰＵＳＣＨに対するリファレンスフォーマットに基づいてパワーヘッドルームが算出されるとは、リファレンスフォーマットが用いられたＰＵＳＣＨでの送信に基づいてパワーヘッドルームが算出されることの意味を含む。
【０２６５】
また、Ｐｒｅｆｅｒｅｎｃｅ，ｃ，ｓｅｔＸ（ｉ）は、ＰＵＳＣＨに対するリファレンスフォーマットに基づいて算出される（推定される）電力値である。ここで、ＰＵＳＣＨに対するリファレンスフォーマットに基づいて電力値が算出される（推定される）とは、リファレンスフォーマットが用いられたＰＵＳＣＨでの送信を想定することによって電力値が算出される（推定される）ことの意味を含む。
【０２６６】
すなわち、ＰＵＳＣＨに対するリファレンスフォーマットとして、あるサブフレームｉにおけるＭＰＵＳＣＨ，ｃ＝１を用いたＰＵＳＣＨでの送信が想定される。また、ＰＵＳＣＨに対するリファレンスフォーマットとして、Ｐ０_ＰＵＳＣＨ，ｃ，ｓｅｔＸ（１）が想定される。また、ＰＵＳＣＨに対するリファレンスフォーマットとして、αｃ，ｓｅｔＸ（１）が想定される。また、ＰＵＳＣＨに対するリファレンスフォーマットとして、ΔＴＦ，ｃ（ｉ）＝０が想定される。
【０２６７】
ここで、タイプ２−１のパワーヘッドルームの報告は、端末装置１が、あるセルｃに対する、あるサブフレームｉにおいて、ＰＵＣＣＨでの送信を同時に行いＰＵＳＣＨでの送信を行う場合に対して定義される。
【０２６８】
例えば、端末装置１は、あるセルｃに対する、あるサブフレームｉにおいて、ＰＵＣＣＨでの送信を同時に行いＰＵＳＣＨでの送信を行う場合に、該あるサブフレームｉにおけるＰＵＳＣＨでの送信に対するタイプ２−１のパワーヘッドルームを、数式（１３）に基づいて算出する。
【数１３】
2015005162.tif 000015
【０２６９】
すなわち、タイプ２−１のパワーヘッドルームは、ＰＵＳＣＨに対する実際の送信、および、ＰＵＣＣＨに対する実際の送信に基づいて算出される。
【０２７０】
また、タイプ２−２のパワーヘッドルームの報告は、端末装置１が、あるセルｃに対する、あるサブフレームｉにおいて、ＰＵＣＣＨでの送信を同時に行わずにＰＵＳＣＨでの送信を行う場合に対して定義される。
【０２７１】
例えば、端末装置１は、あるセルｃに対する、あるサブフレームｉにおいて、ＰＵＣＣＨでの送信を同時に行わずにＰＵＳＣＨでの送信を行う場合に、該あるサブフレームｉにおけるＰＵＳＣＨでの送信に対するタイプ２−２のパワーヘッドルームを、数式（１４）に基づいて算出する。ここで、数式（１４）におけるＰｒｅｆｅｒｅｎｃｅ_ＰＵＣＣＨ, ｃ（ｉ）は、数式（１５）に基づいて定義される。
【数１４】
2015005162.tif 000016
【数１５】
2015005162.tif 000017
【０２７２】
すなわち、タイプ２−２のパワーヘッドルームは、ＰＵＳＣＨに対する実際の送信、および、ＰＵＣＣＨに対するリファレンスフォーマットに基づいて算出される。ここで、ＰＵＣＣＨに対するリファレンスフォーマットに基づいてパワーヘッドルームが算出されるとは、リファレンスフォーマットが用いられたＰＵＣＣＨでの送信を想定することによってパワーヘッドルームが算出されることの意味を含む。
【０２７３】
また、Ｐｒｅｆｅｒｅｎｃｅ_ＰＵＣＣＨ，ｃ（ｉ）は、ＰＵＣＣＨに対するリファレンスフォーマットに基づいて算出される（推定される）電力値である。ここで、ＰＵＣＣＨに対するリファレンスフォーマットに基づいて電力値が算出される（推定される）とは、リファレンスフォーマットが用いられたＰＵＣＣＨでの送信を想定することによって電力値が算出される（推定される）ことの意味を含む。
【０２７４】
すなわち、ＰＵＣＣＨに対するリファレンスフォーマットとして、ｈ（ｎＣＱＩ、ｎＨＡＲＱ）＝０が想定される。また、ＰＵＣＣＨに対するリファレンスフォーマットとして、ΔＦ_ＰＵＣＣＨ（Ｆ）＝０が想定される。また、ＰＵＣＣＨに対するリファレンスフォーマットとして、ＰＵＣＣＨフォーマット１ａが想定される。
【０２７５】
また、タイプ２−３のパワーヘッドルームの報告は、端末装置１が、あるセルｃに対する、あるサブフレームｉにおいて、ＰＵＳＣＨでの送信を同時に行わずにＰＵＣＣＨでの送信を行う場合に対して定義される。
【０２７６】
例えば、端末装置１は、あるセルｃに対する、あるサブフレームｉにおいて、ＰＵＳＣＨでの送信を同時に行わずにＰＵＣＣＨでの送信を行う場合に、該あるサブフレームｉにおけるＰＵＳＣＨでの送信に対するタイプ２−３のパワーヘッドルームを、数式（１６）に基づいて算出する。
【数１６】
2015005162.tif 000018
【０２７７】
すなわち、タイプ２−３のパワーヘッドルームは、ＰＵＳＣＨに対するリファレンスフォーマット、および、ＰＵＣＣＨに対する実際の送信に基づいて算出される。
【０２７８】
また、タイプ２−４のパワーヘッドルームの報告は、端末装置１が、あるセルｃに対する、あるサブフレームｉにおいて、ＰＵＣＣＨでの送信またはＰＵＳＣＨでの送信を行わない場合に対して定義される。
【０２７９】
例えば、端末装置１は、あるセルｃに対する、あるサブフレームｉにおいて、ＰＵＣＣＨでの送信またはＰＵＳＣＨでの送信を行わない場合に、該あるサブフレームｉにおけるＰＵＳＣＨでの送信に対するタイプ２−４のパワーヘッドルームを、数式（１７）に基づいて算出する。
【数１７】
2015005162.tif 000019
【０２８０】
すなわち、タイプ２−４のパワーヘッドルームは、ＰＵＳＣＨに対するリファレンスフォーマット、および、ＰＵＣＣＨに対するリファレンスフォーマットに基づいて算出される。
【０２８１】
図１７は、パワーヘッドルームの報告に用いられるＭＡＣ  ＣＥの構成（MAC CE structure）の例を示す図である。図１７（ａ）には、パワーヘッドルームのＭＡＣ  ＣＥ（Power Headroom MAC control element）が示されている。また、図１７（ｂ）には、拡張されたパワーヘッドルームのＭＡＣ  ＣＥ（Extended Power Headroom MAC control element）が示されている。
【０２８２】
以下、図１７（ａ）に示されるパワーヘッドルームのＭＡＣ  ＣＥを、第１の構成（第１のＭＡＣ  ＣＥ）とも記載する。また、図１７（ｂ）に示される拡張されたパワーヘッドルームのＭＡＣ  ＣＥを、第２の構成（第２のＭＡＣ  ＣＥ）とも記載する。
【０２８３】
ここで、基地局装置３は、端末装置１に対して第２の構成を用いてパワーヘッドルームを報告するように、上位層の信号に含まれるパラメータ（extended-PHR）を用いて指示しても良い。例えば、基地局装置３は、上りリンクにおいて２つ以上のセルを設定した場合には、常に第２の構成を用いてパワーヘッドルームを報告するように指示しても良い。
【０２８４】
また、基地局装置３は、複数のサブフレームセットを設定した場合には、常に第２の構成を用いてパワーヘッドルームを報告するように指示しても良い。また、基地局装置３は、第２の設定を設定した場合には、常に第２の構成を用いてパワーヘッドルームを報告するように指示しても良い。すなわち、基地局装置３は、端末装置１に対してダイナミックＴＤＤに関連する情報（パラメータ）を設定した場合には、常に第２の構成を用いてパワーヘッドルームを報告するように指示しても良い。
【０２８５】
すなわち、基地局装置３は、複数のサブフレームセットを設定する場合には、常にパラメータ（extended-PHR）を設定しても良い。基地局装置は、サブフレームセットを示す情報を上位層の信号に含める場合には、常にパラメータ（extended-PHR）を該上位層の信号に含めて送信しても良い。すなわち、サブフレームセットを示す情報とパラメータ（extended-PHR）は、単一のＰＤＳＣＨを用いて送信されても良い。
【０２８６】
すなわち、端末装置１は、パラメータ（extended-PHR）に基づいて、第２の構成を用いてパワーヘッドルームを報告しても良い。また、端末装置１は、パラメータ（extended-PHR）に基づいて第２の構成を用いてパワーヘッドルームを報告するように設定されていない場合には、第１の構成を用いてパワーヘッドルームを報告しても良い。
【０２８７】
例えば、端末装置１は、単一のセルが設定され、且つ、複数のサブフレームセットが設定され、且つ、パラメータ（extended-PHR）に基づいて第２の構成を用いてパワーヘッドルームを報告するように設定されていない場合には、第１の構成を用いて何れか１つのサブフレームセットに対する１つのパワーヘッドルームを報告しても良い。
【０２８８】
ここで、図１７（ａ）によって示される第１の構成は、論理チャネルＩＤ（Logical Channel Identifier: LCID）が含まれる１つのＭＡＣ  ＰＤＵサブヘッダー（a MAC PDU subheader）によって識別される。また、第１の構成は、固定のサイズ（a fixed size）であり、単一のオクテット（a single octet）から構成されても良い。ここで、１オクテットは、８ビットから構成される。
【０２８９】
例えば、第１の構成は、下記のフィールドに基づいて定義されても良い。
【０２９０】
フィールドＲは、リザーブされたビット（reserved bit）を示し、例えば、“０”にセットされる。
【０２９１】
フィールドＰＨは、パワーヘッドルームのレベルを示すために使用される。例えば、フィールドの長さは、６ビットである。
【０２９２】
図１８は、報告されるパワーヘッドルームと、対応するパワーヘッドルームのレベルを示している。すなわち、図１８は、報告されるパワーヘッドルームと、対応する測定された値を示している。図１８に示すように、例えば、パワーヘッドルームの報告の範囲は、−２３ｄＢから＋４０ｄＢである。
【０２９３】
また、図１７（ｂ）によって示される第２の構成は、ＬＣＩＤが含まれる１つのＭＡＣ  ＰＤＵサブヘッダーによって識別される。第２の構成は、可変のサイズ（a variable size）である。
【０２９４】
ここで、第２の構成には、タイプ２のパワーヘッドルームのフィールドが含まれるオクテット、および、関連するＰＣＭＡＸ，ｃのフィールドが含まれるオクテットが、サービングセルのそれぞれに対して含まれても良い。また、第２の構成には、タイプ２のパワーヘッドルームのフィールドが含まれるオクテット、および、関連するＰＣＭＡＸ，ｃのフィールドが含まれるオクテットが、サブフレームセットのそれぞれに対して含まれても良い。
【０２９５】
すなわち、第２の構成には、タイプ２のパワーヘッドルームのフィールドが含まれるオクテット、および、関連するＰＣＭＡＸ，ｃのフィールドが含まれるオクテットが、サービングセルのそれぞれにおけるサブフレームセットのそれぞれに対して含まれても良い。
【０２９６】
また、第２の構成には、タイプ１のパワーヘッドルームのフィールドが含まれるオクテット、および、関連するＰＣＭＡＸ，ｃのフィールドが含まれるオクテットが、サービングセルのそれぞれに対して含まれても良い。また、第２の構成には、タイプ１のパワーヘッドルームのフィールドが含まれるオクテット、および、関連するＰＣＭＡＸ，ｃのフィールドが含まれるオクテットが、サブフレームセットのそれぞれに対して含まれても良い。
【０２９７】
すなわち、第２の構成には、タイプ１のパワーヘッドルームのフィールドが含まれるオクテット、および、関連するＰＣＭＡＸ，ｃのフィールドが含まれるオクテットが、サービングセルのそれぞれにおけるサブフレームセットのそれぞれに対して含まれても良い。
【０２９８】
また、図１７（ｂ）は、プライマリセル（ＰＣｅｌｌ）のタイプ２のパワーヘッドルームのフィールドが含まれるオクテット、および、関連するＰＣＭＡＸ，ｃのフィールドが含まれるオクテットが含まれていることし示している。
【０２９９】
また、図１７（ｂ）は、プライマリセルのサブフレームセット１に対するタイプ１のパワーヘッドルームのフィールドが含まれるオクテット、および、関連するＰＣＭＡＸ，ｃのフィールドが含まれるオクテットが含まれていることを示している。また、プライマリセルのサブフレームセット２に対するタイプ１のパワーヘッドルームのフィールドが含まれるオクテット、および、関連するＰＣＭＡＸ，ｃのフィールドが含まれるオクテットが含まれていることを示している。すなわち、プライマリセルに対して、複数のサブフレームセットが設定されていることを示している。
【０３００】
また、図１７（ｂ）は、セカンダリセル１（ＳＣｅｌｌ  １）のタイプ１のパワーヘッドルームのフィールドが含まれるオクテット、および、関連するＰＣＭＡＸ，ｃのフィールドが含まれるオクテットが含まれていることを示している。すなわち、セカンダリセル１に対して、複数のサブフレームセットが設定されていないことを示している。
【０３０１】
また、図１７（ｂ）は、セカンダリセルｎ（ＳＣｅｌｌ  ｎ）のサブフレームセット１に対するタイプ１のパワーヘッドルームのフィールドが含まれるオクテット、および、関連するＰＣＭＡＸ，ｃのフィールドが含まれるオクテットが含まれていることを示している。また、セカンダリセルｎのサブフレームセット２に対するタイプ１のパワーヘッドルームのフィールドが含まれるオクテット、および、関連するＰＣＭＡＸ，ｃのフィールドが含まれるオクテットが含まれていることを示している。すなわち、セカンダリセルｎに対して、複数のサブフレームセットが設定されていることを示している。
【０３０２】
例えば、第２の構成は、下記のフィールドに基づいて定義されても良い。
【０３０３】
フィールドＣｉは、サービングセルインデックス（セカンダリセルインデックス）ｉのセカンダリセルに対するパワーヘッドルームのフィールドが存在していることを示すために用いられる。例えば、このフィールドＣｉが“１”にセットされた場合には、サービングセルインデックスｉのセカンダリセルに対するパワーヘッドルームが存在することが示されても良い。また、このフィールドＣｉが“０”にセットされた場合には、サービングセルインデックスｉのセカンダリセルに対するパワーヘッドルームのフィールドが存在しないことが示されても良い。
【０３０４】
フィールドＲは、リザーブされたビット（reserved bit）を示し、例えば、“０”にセットされる。
【０３０５】
フィールドＶは、パワーヘッドルームの値が、実際の送信（a real transmission）またはリファレンスフォーマット（a reference format）に基づいているかどうかを示すために用いられる。ここで、実際の送信、および、リファレンスフォーマットの説明は、上述の通りである。例えば、タイプ１のパワーヘッドルームに対して、Ｖ＝０はＰＵＳＣＨに対する実際の送信が使用されたことを示し、Ｖ＝１はＰＵＳＣＨに対するリファレンスフォーマットが使用されたことを示す。
【０３０６】
また、タイプ２のパワーヘッドルームに対して、Ｖ＝０はＰＵＣＣＨに対する実際の送信が使用されたことを示し、Ｖ＝１はＰＵＣＣＨに対するリファレンスフォーマットが使用されたことを示す。さらに、タイプ１とタイプ２の両方のパワーヘッドルームに対して、Ｖ＝０は、関連するＰＣＭＡＸ，ｃのフィールドが含まれるオクテットが存在していることを示し、Ｖ＝１は、関連するＰＣＭＡＸ，ｃのフィールドが含まれるオクテットが省略されたことを示す。
【０３０７】
フィールドＰＨは、パワーヘッドルームのレベルを示すために使用される。例えば、フィールドの長さは、６ビットである。上述の通り、報告されるパワーヘッドルームと、対応するパワーヘッドルームのレベルは、図１８において示される。
【０３０８】
フィールドＰは、端末装置１が、パワーマネジメント（Ｐ−ＭＰＲ）に起因して、電力バックオフを適用しているかどうかを示すために用いられる。
【０３０９】
フィールドＰＣＭＡＸ，ｃは、もしこのフィールドが存在する場合、このフィールドは、対応するパワーヘッドルームの計算に対して用いられたＰＣＭＡＸ，ｃまたはＰＣＭＡＸ_Ａ，ｃまたはＰＣＭＡＸ_Ｂ，Ｃを示す。
【０３１０】
上述の通り、端末装置１は、複数のサブフレームセットのそれぞれに対するパワーヘッドルームを算出しても良い。以下、第１のサブフレームセットに対するパラメータのセットに基づいて算出したパワーヘッドルームを、第１のサブフレームセットに対するパワーヘッドルームとも記載する。また、第２のサブフレームセットに対するパラメータのセットに基づいて算出したパワーヘッドルームを、第２のサブフレームセットに対するパワーヘッドルームとも記載する。
【０３１１】
すなわち、端末装置１は、第Ｘのサブフレームセットに対するパラメータのセット（Ｐ０_ＰＵＳＣＨ，ｃ，ｓｅｔＸ、および／または、αｃ，ｓｅｔＸ、および／または、ｆｃ，ｓｅｔＸ（ｉ））に基づいて、第Ｘのサブフレームセットに対するパワーヘッドルームを算出しても良い。
【０３１２】
また、端末装置１は、複数のサブフレームセットのそれぞれに対するパワーヘッドルームを、ある単一のサブフレームにおいて報告しても良い。例えば、端末装置１は、複数のサブフレームセットのそれぞれに対するパワーヘッドルームを、第２の構成を用いて報告しても良い。すなわち、端末装置１は、複数のサブフレームセットのそれぞれに対するパワーヘッドルームを単一のＭＡＣ  ＣＥに含めて、単一のＰＵＳＣＨを経由して送信しても良い。
【０３１３】
すなわち、端末装置１は、上りリンクを伴う全ての活性化されたセルのそれぞれの、全てのサブフレームセットのそれぞれに対するパワーヘッドルームを、ある単一のサブフレームにおいて（単一のＭＡＣ  ＣＥに含めて、単一のＰＵＳＣＨを経由して）報告しても良い。
【０３１４】
例えば、端末装置１は、第１のサブフレームセットに対するパワーヘッドルームおよび第２のサブフレームセットに対するパワーヘッドルームを算出し、算出したそれぞれのパワーヘッドルームを、第１のサブフレームセットに属するサブフレームにおいて報告しても良い。また、端末装置１は、第１のサブフレームセットに対するパワーヘッドルームおよび第２のサブフレームセットに対するパワーヘッドルームを算出し、算出したそれぞれのパワーヘッドルームを、第２のサブフレームセットに属するサブフレームにおいて報告しても良い。
【０３１５】
ここで、端末装置１は、あるセルおける、あるサブフレームにおいて、ＰＵＳＣＨを用いてパワーヘッドルームの報告を行う場合には、該ＰＵＳＣＨに対する実際の送信に基づいて、パワーヘッドルームの報告を行うサブフレームが属するサブフレームセットに対するパワーヘッドルームを算出しても良い。
【０３１６】
また、端末装置１は、あるセルおける、あるサブフレームにおいて、ＰＵＳＣＨを用いてパワーヘッドルームの報告を行う場合には、該ＰＵＳＣＨに対するリファレンスフォーマットに基づいて、パワーヘッドルームの報告を行うサブフレームが属するサブフレームセットとは異なるサブフレームセットに対するパワーヘッドルームをしても良い。
【０３１７】
すなわち、あるセルにおける第１のサブフレームセットに属するサブフレームのＰＵＳＣＨにおいてパワーヘッドルームを報告する場合、端末装置１は、該セルにおけるＰＵＳＣＨに対する実際の送信に基づいて算出した第１のサブフレームセットに対するパワーヘッドルーム、および、該セルにおけるＰＵＳＣＨに対するリファレンスフォーマットに基づいて算出した第２のサブフレームセットに対するパワーヘッドルームを報告しても良い。
【０３１８】
また、あるセルにおける第２のサブフレームセットに属するサブフレームのＰＵＳＣＨにおいてパワーヘッドルームを報告する場合、端末装置１は、該セルにおけるＰＵＳＣＨに対するリファレンスフォーマットに基づいて算出した第１のサブフレームセットに対するパワーヘッドルーム、および、該セルにおけるＰＵＳＣＨに対する実際の送信に基づいて算出した第２のサブフレームセットに対するパワーヘッドルームを報告しても良い。
【０３１９】
また、端末装置１は、パワーヘッドルームの報告を行うサブフレームが属するサブフレームセットに対するパワーヘッドルームを算出し、算出したパワーヘッドルームを、該サブフレームにおいて報告しても良い。
【０３２０】
すなわち、端末装置１は、第１のサブフレームセットに属するサブフレームにおいて、第１のサブフレームセットに対するパワーヘッドルームのみを報告しても良い。また、端末装置１は、第２のサブフレームセットに属するサブフレームにおいて、第２のサブフレームセットに対するパワーヘッドルームのみを報告しても良い。
【０３２１】
すなわち、端末装置１は、活性化されたセルのいずれかにおけるＰＵＳＣＨでパワーヘッドルームの報告を行うサブフレームが属する、活性化されたセルのそれぞれのサブフレームセットに対するパワーヘッドルームを算出し、算出したパワーヘッドルームを、該サブフレームにおいて報告しても良い。
【０３２２】
ここで、端末装置１は、パワーヘッドルームの報告を行うサブフレームが属するサブフレームセットに対するパワーヘッドルームを、第１の構成を用いて報告しても良い。また、端末装置１は、パワーヘッドルームの報告を行うサブフレームが属するサブフレームセットに対するパワーヘッドルームを、第２の構成を用いて報告しても良い。
【０３２３】
すなわち、端末装置１は、第１のサブフレームセットに対するパワーヘッドルームを報告するのか、第２のサブフレームセットに対するパワーヘッドルームを報告するのかを、パワーヘッドルームの報告を行なうサブフレームが属するサブフレームセット（すなわち、第１のサブフレームセット、または、第２のサブフレームセット）に基づいて切り替えても良い。
【０３２４】
また、端末装置１は、パワーヘッドルームの報告を行なうサブフレームが属するサブフレームセットに関わらず、常に何れか１つのサブフレームセットに対するパワーヘッドルームを報告しても良い。例えば、端末装置１は、常に第１のサブフレームセットに対するパワーヘッドルームを報告しても良い。また、端末装置１は、常に第２のサブフレームセットに対するパワーヘッドルームを報告しても良い。
【０３２５】
また、基地局装置３は、端末装置１に対して何れのサブフレームセットに対するパワーヘッドルームを報告するのかを指示するために用いられる情報を、上位層の信号に含めて送信しても良い。
【０３２６】
ここで、端末装置１は、何れか１つのサブフレームセットに対するパワーヘッドルームを、第１の構成を用いて報告しても良い。また、端末装置１は、何れか１つのサブフレームセットに対するパワーヘッドルームを、第２の構成を用いて報告しても良い。
【０３２７】
また、常にあるサブフレームセットに対するパワーヘッドルームを報告するよう指示された端末装置１は、該あるサブフレームセットとは異なるサブフレームセットに属するサブフレームにおけるパワーヘッドルームの報告に対して、常に、ＰＵＳＣＨに対するリファレンスフォーマットに基づいてパワーヘッドルームを算出しても良い。
【０３２８】
すなわち、常に第１のサブフレームセットに対するパワーヘッドルームを報告する場合、端末装置１は、第２のサブフレームセットに属するサブフレームにおいて、ＰＵＳＣＨに対するリファレンスフォーマットに基づいて算出した第１のサブフレームセットに対するパワーヘッドルームを報告しても良い。
【０３２９】
また、常に第２のサブフレームセットに対するパワーヘッドルームを報告する場合、端末装置１は、第１のサブフレームセットに属するサブフレームにおいて、ＰＵＳＣＨに対するリファレンスフォーマットに基づいて算出した第２のサブフレームセットに対するパワーヘッドルームを報告しても良い。
【０３３０】
また、端末装置１は、パワーヘッドルームを報告する場合、何れのサブフレームセットに対するパワーヘッドルームを報告しているのかを指示する情報を、該パワーヘッドルームの報告に含めても良い。
【０３３１】
例えば、端末装置１は、第１のサブフレームセットに対するパワーヘッドルームを報告する場合、第１のサブフレームセットに対するパワーヘッドルームを報告していることを指示する情報を、該パワーヘッドルームの報告に含めても良い。また、端末装置１は、第２のパワーヘッドルームを報告する場合、第２のサブフレームセットに対するパワーヘッドルームを報告していることを指示する情報を、該パワーヘッドルームの報告に含めても良い。
【０３３２】
例えば、何れのサブフレームセットに対するパワーヘッドルームを報告しているのかを指示する情報は、第１の構成、または、第２の構成におけるリザーブされたビット（reserved bit）を用いて送信されても良い。すなわち、端末装置１は、何れのサブフレームセットに対するパワーヘッドルームを報告しているのかを指示する場合には、リザーブされたビット（reserved bit）を、対応する値（例えば、第１のサブフレームセットに対応する値、または、第２のサブフレームセットに対応する値）にセットしても良い。
【０３３３】
上述したような、端末装置１が、ある単一のサブフレームにおいて、複数のサブフレームセットのそれぞれに対するパワーヘッドルームを報告する方法を、第１の報告方法とも記載する。
【０３３４】
また、端末装置１が、ある単一のサブフレームにおいて、単一のサブフレームセットに対するパワーヘッドルームを報告する方法を、第２の報告方法とも記載する。第２の報告方法には、上述したような、端末装置１が、パワーヘッドルームの報告を行うサブフレームが対応するサブフレームセットに対するパワーヘッドルームを報告する方法が含まれる。また、第２の報告方法には、上述したような、端末装置１が、常に何れかのサブフレームセットに対するパワーヘッドルームを報告する方法が含まれる。
【０３３５】
ここで、基地局装置３は、端末装置１に対して、第１の報告方法を用いてパワーヘッドルームを報告するのか、または、第２の報告方法を用いてパワーヘッドルームを報告するのか、を指示しても良い。
【０３３６】
例えば、基地局装置３は、複数のサブフレームセットを設定することによって、第１の報告方法を用いてパワーヘッドルームを報告するように端末装置１に指示しても良い。また、基地局装置３は、第２の設定を設定することによって、第１の報告方法を用いてパワーヘッドルームを報告するように端末装置１に指示しても良い。
【０３３７】
すなわち、端末装置１は、複数のサブフレームセットが設定されている場合には、第１の報告方法を用いてパワーヘッドルームを報告しても良い。また、端末装置１は、複数のサブフレームセットが設定されていない場合には、第２の報告方法を用いてパワーヘッドルームを報告しても良い。端末装置１は、複数のサブフレームセットが設定されているかどうかに基づいて、第１の報告方法と第２の報告方法を切り換えても良い。
【０３３８】
また、端末装置１は、第２の設定が設定されている場合には、第１の報告方法を用いてパワーヘッドルームを報告しても良い。また、端末装置１は、第２の設定が設定されていない場合（すなわち、第２の設定が設定されていなくて第１の設定が設定されている場合）には、第２の報告方法を用いてパワーヘッドルームを報告しても良い。端末装置１は、第２の設定が設定されているかどうかに基づいて、第１の報告方法と第２の報告方法を切り換えても良い。
【０３３９】
また、基地局装置３は、第２の構成を用いてパワーヘッドルームを報告するように指示することによって（すなわち、パラメータ（extended-PHR）を設定することによって）、第１の報告方法を用いてパワーヘッドルームを報告するように端末装置１に指示しても良い。
【０３４０】
すなわち、端末装置１は、パラメータ（extended-PHR）が設定されている場合には、第１の報告方法を用いてパワーヘッドルームを報告しても良い。また、端末装置１は、パラメータ（extended-PHR）が設定されていない場合には、第１の報告方法を用いてパワーヘッドルームを報告しても良い。端末装置１は、パラメータ（extended-PHR）が設定されているかどうかに基づいて、第１の報告方法と第２の報告方法を切り替えても良い。
【０３４１】
また、基地局装置３は、サブフレームセットのそれぞれに対するｆｃ，ｓｅｔＸ（ｉ）の累積を有効とすることによって、第１の報告方法を用いてパワーヘッドルームを報告するように端末装置１に指示しても良い。ここで、サブフレームセットのそれぞれに対するｆｃ，ｓｅｔＸ（ｉ）の累積を有効とするか無効とするかの設定方法は、上述の通りである。
【０３４２】
すなわち、端末装置１は、サブフレームセットのそれぞれに対するｆｃ，ｓｅｔＸ（ｉ）の累積を有効とされている場合には、第１の報告方法を用いてパワーヘッドルームを報告しても良い。すなわち、端末装置１は、サブフレームセット毎にｆｃ，ｓｅｔＸ（ｉ）を累積する場合には、複数のサブフレームセットのそれぞれに対するパワーヘッドルームを報告しても良い。
【０３４３】
すなわち、端末装置１は、少なくとも１つのサブフレームセットに対するｆｃ，ｓｅｔＸ（ｉ）の累積を有効とされている場合には、第１の報告方法を用いてパワーヘッドルームを報告しても良い。すなわち、端末装置１は、少なくとも１つのサブフレームセットに対するｆｃ，ｓｅｔＸ（ｉ）を累積する場合には、複数のサブフレームセットのそれぞれに対するパワーヘッドルームを報告しても良い。
【０３４４】
また、端末装置１は、サブフレームセットのそれぞれに対するｆｃ，ｓｅｔＸ（ｉ）の累積を無効とされている場合には、第２の報告方法を用いてパワーヘッドルームを報告しても良い。すなわち、端末装置１は、サブフレームセット毎にｆｃ，ｓｅｔＸ（ｉ）を累積しない場合には、常に単一のサブフレームセットに対するパワーヘッドルームを報告しても良い。すなわち、端末装置１は、ｆｃ，ｓｅｔＸ（ｉ）の値として絶対値をセットする場合には、常に単一のサブフレームセットに対するパワーヘッドルームを報告しても良い。
【０３４５】
すなわち、端末装置１は、サブフレームセットのそれぞれに対してｆｃ，ｓｅｔＸ（ｉ）の累積を行なうかどうかに基づいて、第１の報告方法と第２の報告方法を切り換えても良い。
【０３４６】
以下、パラメータ（extended-PHR）およびパラメータ（simultaneousPUCCH-PUSCH）が設定された場合におけるタイプ２のパワーヘッドルームの報告について詳細に記載する。上述の通り、タイプ２のパワーヘッドルームは、基地局装置３によってパラメータ（extended-PHR）およびパラメータ（simultaneousPUCCH-PUSCH）が設定された場合に報告される。
【０３４７】
この場合、端末装置１は、複数のサブフレームセットが設定された場合であっても、単一のタイプ２のパワーヘッドルーム（single type2-power head room）を報告しても良い。例えば、端末装置１は、常に第１のサブフレームセットに対するタイプ２のパワーヘッドルームを報告しても良い。また、端末装置１は、常に第２のサブフレームセットに対するタイプ２のパワーヘッドルームを報告しても良い。
【０３４８】
ここで、基地局装置３は、複数のサブフレームセットのそれぞれに対してタイプ２のパワーヘッドルームを報告すべきかどうかを、端末装置１へ指示しても良い。例えば、基地局装置３は、複数のサブフレームセットのそれぞれに対してタイプ２のパワーヘッドルームを報告すべきかどうかを指示するための情報を、上位層の信号を用いて送信しても良い。
【０３４９】
また、端末装置１は、ＰＵＣＣＨでの送信が行われるサブフレームが属するサブフレームセットに対するタイプ２のパワーヘッドルームを常に報告しても良い。例えば、ＰＵＣＣＨでの送信が行われるサブフレームが常に第１のサブフレームセットに属する場合には、端末装置１は、常に第１のサブフレームセットに対するタイプ２のパワーヘッドルームを算出しても良い。また、ＰＵＣＣＨでの送信が行われるサブフレームが常に第２のサブフレームセットに属する場合には、端末装置１は、常に第２サブフレームセットに対するタイプ２のパワーヘッドルームを算出しても良い。
【０３５０】
また、端末装置１は、パワーヘッドルームを報告するサブフレームが属するサブフレームセットに対するタイプ２のパワーヘッドルームを算出して、算出したタイプ２のパワーヘッドルームを該サブフレームにおいて報告しても良い。
【０３５１】
例えば、パワーヘッドルームを報告するサブフレームが属するサブフレームセットが第１のサブフレームセットであった場合、端末装置１は、第１のサブフレームセットに対するタイプ２のパワーヘッドルームを算出し、該サブフレームにおいて報告しても良い。また、パワーヘッドルームを報告するサブフレームが属するサブフレームセットが第２のサブフレームセットであった場合、端末装置１は、第２のサブフレームセットに対するタイプ２のパワーヘッドルームを算出し、該サブフレームにおいて報告しても良い。
【０３５２】
以下、タイプ１のパワーヘッドルームとタイプ２のパワーヘッドルームを報告する方法について詳細に記載する。端末装置１は、上述したような報告方法で、タイプ１のパワーヘッドルームとタイプ２のパワーヘッドルームを報告することができる。すなわち、端末装置１は、上述したような報告方法の一部、または、全てを組み合わせて、タイプ１のパワーヘッドルームとタイプ２のパワーヘッドルームを報告しても良い。
【０３５３】
すなわち、上述したような報告方法の一部、または、全てが、タイプ１のパワーヘッドルームの報告方法として適用されても良い。また、上述したような報告方法の一部、または、全てが、タイプ２のパワーヘッドルームの報告方法として適用されても良い。
【０３５４】
例えば、端末装置１は、複数のサブフレームセットのそれぞれに対するタイプ１のパワーヘッドルーム、および、第１のサブフレームセットに対するタイプ２のパワーヘッドルームを、単一のサブフレームにおいて報告しても良い。
【０３５５】
また、例えば、端末装置１は、タイプ１のパワーヘッドルームおよびタイプ２のパワーヘッドルーム（すなわち、パワーヘッドルーム）が報告されるサブフレームが属するサブフレームセットに対するタイプ１のパワーヘッドルーム、および、第１のサブフレームセットに対するタイプ２のパワーヘッドルームを、該サブフレームにおいて報告しても良い。
【０３５６】
また、例えば、端末装置１は、複数のサブフレームセットのそれぞれに対するタイプ１のパワーヘッドルーム、および、タイプ２のパワーヘッドルームが報告されるサブフレームが属するサブフレームセットに対するタイプ２のパワーヘッドルームを、単一のサブフレームにおいて報告しても良い。
【０３５７】
また、例えば、端末装置１は、タイプ１のパワーヘッドルームおよびタイプ２のパワーヘッドルームが報告されるサブフレームが属するサブフレームセットに対する、タイプ１のパワーヘッドルームおよびタイプ２のパワーヘッドルームを、該サブフレームにおいて報告しても良い。
【０３５８】
ここで、端末装置１は、第１のサブフレームセットに対するパワーヘッドルームおよび第２のサブフレームセットに対するパワーヘッドルームは、異なるサブフレームにおいて報告されても良い。
【０３５９】
パワーヘッドルームの報告の制御について詳細に記載する。
【０３６０】
例えば、ある１つのパワーヘッドルームの報告は、予め定義される複数のイベントの少なくとも１つが生じた場合にトリガされる。例えば、該複数のイベントは、仕様書などによって予め定義されても良い。
【０３６１】
例えば、複数のイベントには、第１のタイマー（prohibit-Timer）が満了する、または満了している場合に、パスロスリファレンスとして用いられる少なくとも１つの活性化されたサービングセル、または、パスロスリファレンスとして用いられる少なくとも１つの（活性化された）サブフレームセットに対するパスロスが、端末装置１が初期送信のための上りリンクリソース（例えば、ＵＬ−ＳＣＨリソース、または、ＰＵＳＣＨリソース）を割り当てられた際のパワーヘッドルームの最後の報告から、設定された値（dl-pathlossChange）以上変化すること、が含まれて良い。
【０３６２】
ここで、第１のタイマー（prohibit-Timer）は、基地局装置３によって上位層の信号を用いて設定されても良い。また、パスロスの変化に関連する値（dl-pathlossChange）は、基地局装置３によって上位層の信号を用いて設定されても良い。また、あるセル、または、あるサブフレームセットに対するパスロスリファレンスとして用いられる１つのセル、または、１つのサブフレームセットは、基地局装置３によって上位層の信号を用いて設定されても良い。
【０３６３】
また、複数のイベントには、上位層によって（上位層の信号を用いて）複数のサブフレームセットが設定、または再設定されること、または活性化されること、が含まれても良い。また、複数のイベントには、上位層によって（上位層の信号を用いて）あるサブフレームセットが設定、または再設定されること、または活性化されること、が含まれても良い。
【０３６４】
ここで、例えば、基地局装置３は、専用のメッセージ（dedicated signaling）を用いてサブフレームセットを設定し、設定したサブフレームセットを、ＭＡＣ  ＣＥ（ＭＡＣシグナリング）を用いて活性化しても良い。ここで、端末装置１は、非活性化されたサブフレームセットに属するサブフレームにおいて、ＰＤＣＣＨ／ＥＰＤＣＣＨをモニタしなくても良い。また、端末装置１は、非活性化されたサブフレームセットに属するサブフレームに対する、ＰＤＣＣＨ／ＥＰＤＣＣＨをモニタしなくても良い。
【０３６５】
また、複数のイベントには、ｆｃ，ｓｅｔＸ（ｉ）の累積に関連する設定が変更されることが含まれても良い。例えば、複数のイベントには、ｆｃ，ｓｅｔＸ（ｉ）の累積が無効から有効に変更されることが含まれても良い。また、例えば、複数のイベントには、ｆｃ，ｓｅｔＸ（ｉ）の累積が有効から無効に変更されることが含まれても良い。例えば、サブフレームセットに関わらずに、ｆｃ，ｓｅｔＸ（ｉ）の累積に関連する設定が変更された場合には、パワーヘッドルームの報告がトリガされても良い。
【０３６６】
また、例えば、端末装置１は、条件に基づいて、パワーヘッドルームを報告する。すなわち、端末装置１は、上述したようなイベントに基づいてトリガされたパワーヘッドルームの報告を、条件が満たされた場合に実行する。
【０３６７】
例えば、条件には、対応するサブフレームに対して、初期送信のための上りリンクリソース（例えば、ＵＬ−ＳＣＨリソース、または、ＰＵＳＣＨリソース）が割り当てられた場合であって、且つ、少なくとも１つのパワーヘッドルームの報告がトリガされた場合であって、且つ、論理チャネルにおける優先順位付け（logical channel prioritization）に基づいて、割り当てられた上りリンクリソースに、第１の構成とそのサブヘッダー、または、第２の構成とそのサブヘッダーが収容（accommodate）できる場合、が含まれる。
【０３６８】
ここで、端末装置１は、パラメータ（extended-PHR）が設定され、且つ、あるセルに対して複数のサブフレームセットが設定され、且つ、第１の報告方法を用いてタイプ１のパワーヘッドルームを報告するよう設定されている場合には、複数のサブフレームセットのそれぞれに対するタイプ１のパワーヘッドルームを取得（算出）しても良い。この場合、基地局装置３によってパラメータ（simultaneousPUCCH-PUSCH）は設定されていない。
【０３６９】
また、端末装置１は、パラメータ（extended-PHR）が設定され、且つ、あるセルに対して複数のサブフレームセットが設定され、且つ、第２の報告方法を用いてタイプ１のパワーヘッドルームを報告するよう設定されている（すなわち、第１の報告方法を用いてタイプ１のパワーヘッドルームを報告するよう設定されていない）場合には、何れか１つのサブフレームセットに対するタイプ１のパワーヘッドルームの値を取得しても良い。この場合、基地局装置３によってパラメータ（simultaneousPUCCH-PUSCH）は設定されていない。
【０３７０】
また、端末装置１は、パラメータ（extended-PHR）が設定され、且つ、あるセルに対して複数のサブフレームセットが設定されていない場合には、該セルに対する単一のタイプ１のパワーヘッドルームの値を取得しても良い。この場合、基地局装置３によってパラメータ（simultaneousPUCCH-PUSCH）は設定されていない。また、この場合、端末装置１は、第２の報告方法を用いて、タイプ１のパワーヘッドルームを報告しても良い。
【０３７１】
すなわち、端末装置１は、パラメータ（extended-PHR）が設定された場合に、あるセルに対して複数のサブフレームセットが設定されているかどうかに基づいて、複数のサブフレームセットに対するパワーヘッドルームを取得するか、単一のサブフレームセットに対するパワーヘッドルームを取得するのか、を切り換えても良い。
【０３７２】
さらに、端末装置１は、パラメータ（extended-PHR）が設定され、且つ、パラメータ（simultaneousPUCCH-PUSCH）が設定されている場合には、タイプ２のパワーヘッドルームの値を取得しても良い。
【０３７３】
また、端末装置１は、パラメータ（extended-PHR）が設定されていない場合には、プライマリセルの何れか１つのサブフレームセットに対するタイプ１のパワーヘッドルームの値を取得しても良い。この場合、端末装置１は、第２の報告方法を用いて、タイプ１のパワーヘッドルームを報告しても良い。
【０３７４】
ここで、端末装置１は、パワーヘッドルームの算出に用いるパラメータのセットを、ＰＵＳＣＨに対する実際の送信とＰＵＳＣＨに対するリファレンスフォーマットの何れに基づいてパワーヘッドルームを算出するのか、および、パワーヘッドルームの報告を行なうサブフレームが属するサブフレームセット（すなわち、第１のサブフレームセット、または、第２のサブフレームセット）に応じて、切り替えても良い。
【０３７５】
すなわち、端末装置１は、ＰＵＳＣＨに対する実際の送信に基づいてパワーヘッドルームを算出する場合には、パワーヘッドルームの算出に用いるパラメータのセットを、パワーヘッドルームの報告を行なうサブフレームが属するサブフレームセットに基づいて切り替えても良い。
【０３７６】
また、端末装置１は、ＰＵＳＣＨに対するリファレンスフォーマットに基づいてパワーヘッドルームを算出する場合には、パワーヘッドルームの報告を行なうサブフレームが属するサブフレームセットに関わらず、常に何れか１つのサブフレームセットに対するパラメータセットを用いても良い。例えば、この場合、端末装置１は、常に第１のサブフレームセットに対するパラメータセットを用いても良い。また、この場合、端末装置１は、常に第２のサブフレームセットに対するパラメータセットを用いても良い。
【０３７７】
例えば、あるセルにおける第Ｘのサブフレームセットに属するサブフレームにおいて、該セルにおけるＰＵＳＣＨに対する実際の送信に基づいたパワーヘッドルームの報告を行おうとする場合、端末装置１は、第Ｘのサブフレームセットに対するパワーヘッドルームを算出しても良い。端末装置１は、算出した第Ｘのサブフレームセットに対するパワーヘッドルームを、該サブフレームにおいて報告する。また、端末装置１は、算出した第Ｘのサブフレームセットに対するパワーヘッドルームを、第１の構成、または、第２の構成を用いて報告しても良い。  
【０３７８】
すなわち、あるセルにおける第Ｘのサブフレームセットに属するサブフレームにおいて、該あるセルにおけるＰＵＳＣＨでパワーヘッドルームの報告を行おうとする場合、端末装置１は、該あるセルにおける第Ｘのサブフレームセットに対する、ＰＵＳＣＨでの実際の送信に対するパワーヘッドルームを算出しても良い。
【０３７９】
また、あるセルにおける第Ｘのサブフレームセットに属するサブフレームにおいて、該セルにおけるＰＵＳＣＨに対するリファレンスフォーマットに基づいたパワーヘッドルームの報告を行おうとする場合、端末装置１は、常に何れか１つのサブフレームセット（すなわち、第１のサブフレームセット、または、第２のサブフレームセット）に対するパワーヘッドルームを算出しても良い。端末装置１は、算出した何れか１つのサブフレームセットに対するパワーヘッドルームを、該サブフレームにおいて報告する。また、端末装置１は、算出した何れか１つのサブフレームセットに対するパワーヘッドルームを、第１の構成、または、第２の構成を用いて報告しても良い。
【０３８０】
すなわち、あるセルにおける第Ｘのサブフレームセットに属するサブフレームにおいて、該あるセルとは異なるセルにおけるＰＵＳＣＨでパワーヘッドルームの報告を行おうとする場合、端末装置１は、該あるセルにおける何れか１つのサブフレームセットに対する、ＰＵＳＣＨでのリファレンスフォーマットに対する、パワーヘッドルームを算出しても良い。
【０３８１】
また、端末装置１は、パワーヘッドルームの算出に用いるパラメータのセットを、ＰＵＳＣＨに対する実際の送信とＰＵＳＣＨに対するリファレンスフォーマットの何れに基づいてパワーヘッドルームを算出するのか、および、パワーヘッドルームの報告を行なうサブフレームが属するサブフレームセット（すなわち、第１のサブフレームセット、または、第２のサブフレームセット）、および、パワーヘッドルームの報告のタイプに応じて、切り替えても良い。
【０３８２】
すなわち、端末装置１は、ＰＵＳＣＨに対する実際の送信に基づいてタイプ１のパワーヘッドルームを算出する場合には、タイプ１のパワーヘッドルームの算出に用いるパラメータのセットを、タイプ１のパワーヘッドルームの報告を行なうサブフレームが属するサブフレームセットに基づいて切り替えても良い。
【０３８３】
また、端末装置１は、ＰＵＳＣＨに対するリファレンスフォーマットに基づいてタイプ１のパワーヘッドルームを算出する場合には、タイプ１のパワーヘッドルームの報告を行なうサブフレームが属するサブフレームセットに関わらず、常に何れか１つのサブフレームセットに対するパラメータセットを用いても良い。
【０３８４】
また、端末装置１は、タイプ２のパワーヘッドルームを算出する場合には、パワーヘッドルームの報告を行なうサブフレームが属するサブフレームセットに関わらず、常に何れか１つのサブフレームセットに対するパラメータセットを用いても良い。
【０３８５】
端末装置１が、上述のように送信電力制御を実行することによって、送信電力に関わる処理を効率的に実行することができる。また、端末装置１が、上述のようにパワーヘッドルームを報告することによって、送信電力に関わる処理を効率的に実行することができる。
【０３８６】
例えば、ダイナミックＴＤＤが適用されたシステムにおいて、送信電力に関わる処理を効率的に実行することができる。例えば、隣接するセルとサービングセルとのＵＬ−ＤＬ設定が異なる場合であっても、送信電力に関わる処理を効率的に実行することによって、基地局装置３と端末装置１が、効率的に通信することができる。
【０３８７】
上述のような処理を行うことによって、端末装置１および基地局装置３が、送信電力に関わる処理を効率的に実行することができる。
【０３８８】
上述したように、本実施形態における端末装置１は、基地局装置３と通信する端末装置１であって、複数のサブフレームセットを設定するための情報、および、前記複数のサブフレームセットのそれぞれに対するパラメータを前記基地局装置３から受信する受信部と、前記パラメータに基づいて算出した、前記サブフレームセットのそれぞれに対する複数のパワーヘッドルームを、単一のサブフレームにおいて前記基地局装置３へ報告する送信部と、を備える。
【０３８９】
ここで、端末装置１は、あるサービングセルおける、あるサブフレームにおいて、物理上りリンク共用チャネルを用いてパワーヘッドルームの報告を行う場合には、前記物理上りリンク共用チャネルに対する実際の送信に基づいて、パワーヘッドルームの報告を行うサブフレームが属するサブフレームセットに対するパワーヘッドルームを算出する。
【０３９０】
また、端末装置１は、あるサービングセルおける、あるサブフレームにおいて、物理上りリンク共用チャネルを用いてパワーヘッドルームの報告を行う場合には、前記物理上りリンク共用チャネルに対するリファレンスフォーマットに基づいて、パワーヘッドルームの報告を行うサブフレームが属するサブフレームセットとは異なるサブフレームセットに対するパワーヘッドルームを算出する。
【０３９１】
また、本実施形態における基地局装置３は、端末装置１と通信する基地局装置３であって、複数のサブフレームセットを設定するための情報、および、前記複数のサブフレームセットのそれぞれに対するパラメータを前記端末装置１へ送信する送信部と、前記パラメータに基づいて算出された、前記サブフレームセットのそれぞれに対する複数のパワーヘッドルームを、単一のサブフレームにおいて前記端末装置１から受信する受信部と、を備える。
【０３９２】
ここで、基地局装置３は、あるサービングセルおける、あるサブフレームにおいて、物理上りリンク共用チャネルを用いて前記パワーヘッドルームの報告が行われる場合には、前記物理上りリンク共用チャネルに対する実際の送信に基づいて算出された、前記パワーヘッドルームの報告を行うサブフレームが属するサブフレームセットに対するパワーヘッドルームを受信する。
【０３９３】
また、基地局装置３は、あるサービングセルおける、あるサブフレームにおいて、物理上りリンク共用チャネルを用いて前記パワーヘッドルームの報告が行われる場合には、前記物理上りリンク共用チャネルに対するリファレンスフォーマットに基づいて算出された、前記パワーヘッドルームの報告を行うサブフレームが属するサブフレームセットとは異なるサブフレームセットに対するパワーヘッドルームを受信する。
【０３９４】
本発明に関わる基地局装置３、および、端末装置１で動作するプログラムは、本発明に関わる上記実施形態の機能を実現するように、ＣＰＵ（Central Processing Unit）等を制御するプログラム（コンピュータを機能させるプログラム）であっても良い。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０３９５】
尚、上述した実施形態における端末装置１、基地局装置３の一部、をコンピュータで実現するようにしても良い。その場合、この制御機能を実現するためのプログラムをコンピュータが読み取り可能な記録媒体に記録して、この記録媒体に記録されたプログラムをコンピュータシステムに読み込ませ、実行することによって実現しても良い。
【０３９６】
尚、ここでいう「コンピュータシステム」とは、端末装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０３９７】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０３９８】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる端末装置１は、集合体としての基地局装置と通信することも可能である。
【０３９９】
また、上述した実施形態における基地局装置３は、Ｅ−ＵＴＲＡＮ（Evolved Universal Terrestrial Radio Access Network）と称されても良い。また、上述した実施形態における基地局装置３は、ｅＮｏｄｅＢに対する上位ノードの機能の一部または全部を有しても良い。
【０４００】
また、上述した実施形態における端末装置１、基地局装置３の一部、又は全部を典型的には集積回路であるＬＳＩとして実現しても良いし、チップセットとして実現しても良い。端末装置１、基地局装置３の各機能ブロックは個別にチップ化しても良いし、一部、又は全部を集積してチップ化しても良い。また、集積回路化の手法はＬＳＩに限らず専用回路、又は汎用プロセッサで実現しても良い。また、半導体技術の進歩によりＬＳＩに代替する集積回路化の技術が出現した場合、当該技術による集積回路を用いることも可能である。
【０４０１】
また、上述した実施形態では、端末装置もしくは通信装置を一例として記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０４０２】
また、端末装置は、ユーザー装置（User Equipment: UE）、移動局（Mobile Station: MS, Mobile Terminal, MT）、移動局装置、移動端末、加入者ユニット、加入者局、ワイヤレス端末、移動体デバイス、ノード、デバイス、遠隔局、遠隔端末、ワイヤレス通信デバイス、ワイヤレス通信装置、ユーザエージェント、アクセス端末などの移動型又は固定型のユーザー端機器を総称しても良い。
【０４０３】
また、基地局装置は、ノードＢ（NodeB）、強化ノードＢ（eNodeB）、基地局、アクセスポイント（Access Point: AP）などの端末と通信するネットワーク端の任意のノードを総称しても良い。なお、基地局装置は、ＲＲＨ（Remote Radio Head、Remote Radio Unit: RRU、リモートアンテナ、分散アンテナとも称す）を含んでも良い。
【０４０４】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【産業上の利用可能性】
【０４０５】
本発明は、携帯電話、パーソナル・コンピュータ、タブレット型コンピュータなどに適用できる。
【符号の説明】
【０４０６】
１（１Ａ、１Ｂ、１Ｃ）    端末装置
３    基地局装置
１０１    上位層処理部
１０３    制御部
１０５    受信部
１０７    送信部
１０９    送信電力処理部
３０１    上位層処理部
３０３    制御部
３０５    受信部
３０７    送信部
１０１１    無線リソース制御部
１０１３    サブフレーム設定部
１０１５    スケジューリング情報解釈部
１０１７    送信電力制御部
３０１１    無線リソース制御部
３０１３    サブフレーム設定部
３０１５    スケジューリング部
３０１７    送信電力制御部
【図１】
2015005162.tif 000020
【図２】
2015005162.tif 000021
【図３】
2015005162.tif 000022
【図４】
2015005162.tif 000023
【図５】
2015005162.tif 000024
【図６】
2015005162.tif 000025
【図７】
2015005162.tif 000026
【図８】
2015005162.tif 000027
【図９】
2015005162.tif 000028
【図１０】
2015005162.tif 000029
【図１１】
2015005162.tif 000030
【図１２】
2015005162.tif 000031
【図１３】
2015005162.tif 000032
【図１４】
2015005162.tif 000033
【図１５】
2015005162.tif 000034
【図１６】
2015005162.tif 000035
【図１７】
2015005162.tif 000036
【図１８】
2015005162.tif 000037
【国際調査報告】
2015005162.tif 000038
2015005162.tif 000039